(57)【要約】【課題】プラントがＬＣＯを逸脱するか否かを判断するための身体的な負担を低減したり、複雑な対応手順を簡易化したりする保安規定対応支援システム、保安規定対応支援方法及び保安規定対応支援プログラムを提供すること。【解決手段】保安規定対応支援システム１０は、記憶部１２と、入力部１４と、演算処理部１６と、出力部１８と、を有する。記憶部１２は、プラント２２の運転条件と制御装置２４の配置構成とを記憶する。入力部１４は、オペレータの操作の入力を受け付ける。演算処理部１６は、制御装置２４の故障箇所の情報の入力に基づいて、診断に必要なプラント２２の運転パラメータを決定し、この現在の値の入力を求める出力を行う。演算処理部１６は、この入力を受け付けた現在の値と記憶部１２に記憶された運転条件とに基づいて、制御装置２４の故障箇所に対応する機器の運転を維持できるかを診断する。【選択図】図３
2019179506.tif 000002
【特許請求の範囲】
【請求項１】
プラントの運転を制御する制御装置の保安規定対応支援システムであって、
前記プラントの運転条件と前記制御装置の配置構成とを記憶する記憶部と、
オペレータの操作の入力を受け付ける入力部と、
前記記憶部の条件と前記入力部で受け付けた入力に基づいて診断結果を算出する演算処理部と、
オペレータに前記演算処理部の診断結果を出力する出力部と、を有し、
前記演算処理部は、
前記制御装置の故障箇所の情報の入力に基づいて、診断に必要な前記プラントの運転パラメータを決定し、決定した運転パラメータの現在の値の入力を求める出力を行い、
前記入力部で入力を受け付けた現在の値と前記記憶部に記憶された運転条件とに基づいて、前記プラントの前記制御装置の故障箇所に対応する機器の運転を維持できるかを診断する
ことを特徴とする保安規定対応支援システム。
【請求項２】
前記プラントは、原子力プラントまたは火力プラントであり、
前記プラントの運転条件は、保安規定の運転上の制限を含むことを特徴とする請求項１に記載の保安規定対応支援システム。
【請求項３】
前記制御装置の故障箇所は、前記制御装置の制御判断を行う回路に、前記プラントの運転状態を入力する機器の故障と、前記制御装置の制御判断を行う回路から、前記プラントの運転信号を出力する機器の故障と、前記制御装置においてデバイスとメモリとの間の情報の転送をする機器の故障と、前記制御装置において信号を整形する機器の故障と、前記制御装置とネットワーク機器とを接続する機器の故障と、前記制御装置の制御判断を行う回路の故障と、を含むことを特徴とする請求項１または２に記載の保安規定対応支援システム。
【請求項４】
前記制御装置は、複数の制御ユニットを備え、前記複数の制御ユニットで同一の制御を並列に処理することを特徴とする請求項１から３のいずれか一項に記載の保安規定対応支援システム。
【請求項５】
前記出力部は、画像を表示することを特徴とする請求項１から４のいずれか一項に記載の保安規定対応支援システム。
【請求項６】
前記演算処理部は、故障箇所を示す前記制御装置のシーケンス図を表示させることを特徴とする請求項５に記載の保安規定対応支援システム。
【請求項７】
プラントの運転を制御する制御装置の保安規定対応支援方法であって、
前記制御装置の故障箇所の情報の入力を受け付ける故障箇所情報入力受付ステップと、
前記故障箇所情報入力受付ステップで入力を受け付けた故障箇所の情報と、前記制御装置の配置構成の情報とに基づいて、診断に必要な前記プラントの運転パラメータを決定する運転パラメータ決定ステップと、
前記運転パラメータ決定ステップで決定した前記運転パラメータの現在の値の情報の入力を受け付ける現在値入力受付ステップと、
前記現在値入力受付ステップで入力を受け付けた現在の値の情報と、前記プラントの運転条件の情報とに基づいて、前記プラントの前記制御装置の故障箇所に対応する機器の運転を維持できるか否かを診断する運転維持可否判定ステップと、
を含むことを特徴とする保安規定対応支援方法。
【請求項８】
プラントの運転を制御する制御装置の保安規定対応支援システムの演算処理部に、
前記制御装置の故障箇所の情報の入力を受け付ける故障箇所情報入力受付ステップと、
前記故障箇所情報入力受付ステップで入力を受け付けた故障箇所の情報と、前記制御装置の配置構成の情報とに基づいて、診断に必要な前記プラントの運転パラメータを決定する運転パラメータ決定ステップと、
前記運転パラメータ決定ステップで決定した前記運転パラメータの現在の値の情報の入力を受け付ける現在値入力受付ステップと、
前記現在値入力受付ステップで入力を受け付けた現在の値の情報と、前記プラントの運転条件の情報とに基づいて、前記プラントの前記制御装置の故障箇所に対応する機器の運転を維持できるか否かを診断する運転維持可否判定ステップと、
を実行させることを特徴とする保安規定対応支援プログラム。
【発明の詳細な説明】
【技術分野】
【０００１】
本発明は、保安規定対応支援システム、保安規定対応支援方法及び保安規定対応支援プログラムに関する。
【背景技術】
【０００２】
原子力プラントは、原子力プラントに異常または事故が発生した際に、原子炉を安全に停止させたり、炉心の保護や、原子力プラントの外部への放射性物質の拡散を防止したりするための設備を起動させる機能をもつ制御装置が設置されている。原子力プラントの異常または事故の原因を究明するため、原子力プラントの運転員及び保守官等の多数の関係者が、それぞれ必要な情報を個々に取得したり、個々の情報を多数の関係者で共有したりする装置が知られている（例えば、特許文献１）。
【先行技術文献】
【特許文献】
【０００３】
【特許文献１】特開２０１６−１９４７７３号公報
【発明の概要】
【発明が解決しようとする課題】
【０００４】
原子力プラントは、原子力プラントにおける諸規則をまとめた保安規定に基づく運転条件の制限、すなわちＬＣＯ（Limiting  Condition  of  Operation）が設けられている。原子力プラントは、原子力プラントに異常または事故が発生した際に、このＬＣＯを逸脱する可能性がある。このため、原子力プラントに異常または事故が発生した際には、定められた時間内に異常または事故の原因となっている故障の原因の究明を行い、原子力プラントの安全に係る機能への影響を確認し、原子力プラントがＬＣＯを逸脱するか否かを判断する必要がある。原子力プラントがＬＣＯを逸脱するか否かを判断するためには、原子力プラントの制御装置の構成及びデータ処理に係る知見が求められるとともに、原子力プラントに関する多くの資料を確認する必要がある。このため、原子力プラントがＬＣＯを逸脱するか否かを判断することは、身体的な負担が高く、対応手順が複雑であるので、原子力プラントの運転員及び保守官等の多数の関係者にとって、大きな負担がある。
【０００５】
しかしながら、特許文献１の装置では、それぞれ必要な情報を個々に取得したり、個々の情報を多数の関係者で共有したりすることができるが、原子力プラントがＬＣＯを逸脱するか否かを判断するための身体的な負担を低減したり、複雑な対応手順を簡易化したりすることはできないという問題があった。
【０００６】
また、原子力プラント以外のプラント、例えば火力プラントにおいても、諸規則をまとめた保安規定に基づく運転条件の制限、すなわちＬＣＯ（Limiting  Condition  of  Operation）が設けられている。これらの原子力プラント以外のプラントについても、原子力プラントがＬＣＯを逸脱するか否かを判断するための身体的な負担を低減したり、複雑な対応手順を簡易化したりすることはできないという問題があった。
【０００７】
本発明は、上記に鑑みてなされたものであって、プラントがＬＣＯを逸脱するか否かを判断するための身体的な負担を低減したり、複雑な対応手順を簡易化したりする保安規定対応支援システム、保安規定対応支援方法及び保安規定対応支援プログラムを提供することを目的とする。
【課題を解決するための手段】
【０００８】
上記した課題を解決し、目的を達成するために、本発明の保安規定対応支援システムは、プラントの運転を制御する制御装置の保安規定対応支援システムであって、前記プラントの運転条件と前記制御装置の配置構成とを記憶する記憶部と、オペレータの操作の入力を受け付ける入力部と、前記記憶部の条件と前記入力部で受け付けた入力に基づいて診断結果を算出する演算処理部と、オペレータに前記演算処理部の診断結果を出力する出力部と、を有し、前記演算処理部は、前記制御装置の故障箇所の情報の入力に基づいて、診断に必要な前記プラントの運転パラメータを決定し、決定した運転パラメータの現在の値の入力を求める出力を行い、前記入力部で入力を受け付けた現在の値と前記記憶部に記憶された運転条件とに基づいて、前記プラントの前記制御装置の故障箇所に対応する機器の運転を維持できるかを診断することを特徴とする。
【０００９】
この構成によれば、演算処理部が、制御装置の故障箇所に関する現在の値と記憶部に記憶された運転条件とに基づいて、自動で、プラントの運転の維持が可能か否か、プラントがＬＣＯを逸脱するか否か、及び復旧可能か否かを診断することができる。このため、プラントの運転の維持が可能か否か、プラントがＬＣＯを逸脱するか否か、及び復旧可能か否かを判断するためのオペレータの身体的な負担を低減することができ、複雑な対応手順を簡易化することができる。
【００１０】
この構成において、前記プラントは、原子力プラントまたは火力プラントであり、前記プラントの運転条件は、保安規定の運転上の制限を含むことが好ましい。この構成によれば、ＬＣＯが厳格で、プラントの構成が特に複雑な原子力プラントの場合でも、自動で、原子力プラントの運転の維持が可能か否か、原子力プラントがＬＣＯを逸脱するか否か、及び復旧可能か否かを診断することができる。このため、原子力プラントの運転の維持が可能か否か、原子力プラントがＬＣＯを逸脱するか否か、及び復旧可能か否かを判断するためのオペレータの身体的な負担をより低減することができ、複雑な対応手順をより簡易化することができる。
【００１１】
これらの構成において、前記制御装置の故障箇所は、前記制御装置の制御判断を行う回路に、前記プラントの運転状態を入力する機器の故障と、前記制御装置の制御判断を行う回路から、前記プラントの運転信号を出力する機器の故障と、前記制御装置においてデバイスとメモリとの間の情報の転送をする機器の故障と、前記制御装置において信号を整形する機器の故障と、前記制御装置とネットワーク機器とを接続する機器の故障と、前記制御装置の制御判断を行う回路の故障と、を含むことが好ましい。この構成によれば、制御装置の回路系統が故障した場合でも、故障箇所の情報の入力、運転パラメータの決定、現在値の入力を経て、自動で、プラントの運転の維持が可能か否か、プラントがＬＣＯを逸脱するか否か、及び復旧可能か否かを診断することができる。
【００１２】
これらの構成において、前記制御装置は、複数の制御ユニットを備え、前記複数の制御ユニットで同一の制御を並列に処理することが好ましい。この構成によれば、プラントをより安定に制御することができ、制御装置が故障した場合にプラントの運転の維持及び復旧の可能性を高めることができる。
【００１３】
これらの構成において、前記出力部は、画像を表示することが好ましい。この構成によれば、制御装置の故障箇所などの情報を視覚でわかるように出力することができる。
【００１４】
出力部が画像を表示する構成において、前記演算処理部は、故障箇所を示す前記制御装置のシーケンス図を表示させることが好ましい。この構成によれば、制御装置の配置構成における制御装置の故障箇所の情報を視覚でわかるように出力することができる。
【００１５】
また、上記した課題を解決し、目的を達成するために、本発明の保安規定対応支援方法は、プラントの運転を制御する制御装置の保安規定対応支援方法であって、前記制御装置の故障箇所の情報の入力を受け付ける故障箇所情報入力受付ステップと、前記故障箇所情報入力受付ステップで入力を受け付けた故障箇所の情報と、前記制御装置の配置構成の情報とに基づいて、診断に必要な前記プラントの運転パラメータを決定する運転パラメータ決定ステップと、前記運転パラメータ決定ステップで決定した前記運転パラメータの現在の値の情報の入力を受け付ける現在値入力受付ステップと、前記現在値入力受付ステップで入力を受け付けた現在の値の情報と、前記プラントの運転条件の情報とに基づいて、前記プラントの前記制御装置の故障箇所に対応する機器の運転を維持できるか否かを診断する運転維持可否判定ステップと、を含むことを特徴とする。
【００１６】
この構成によれば、制御装置の故障箇所に関する現在の値とプラントの運転条件とに基づいて、自動で、プラントの運転の維持が可能か否か、プラントがＬＣＯを逸脱するか否か、及び復旧可能か否かを診断することができる。このため、プラントの運転の維持が可能か否か、プラントがＬＣＯを逸脱するか否か、及び復旧可能か否かを判断するためのオペレータの身体的な負担を低減することができ、複雑な対応手順を簡易化することができる。
【００１７】
また、上記した課題を解決し、目的を達成するために、本発明の保安規定対応支援プログラムは、プラントの運転を制御する制御装置の保安規定対応支援システムの演算処理部に、前記制御装置の故障箇所の情報の入力を受け付ける故障箇所情報入力受付ステップと、前記故障箇所情報入力受付ステップで入力を受け付けた故障箇所の情報と、前記制御装置の配置構成の情報とに基づいて、診断に必要な前記プラントの運転パラメータを決定する運転パラメータ決定ステップと、前記運転パラメータ決定ステップで決定した前記運転パラメータの現在の値の情報の入力を受け付ける現在値入力受付ステップと、前記現在値入力受付ステップで入力を受け付けた現在の値の情報と、前記プラントの運転条件の情報とに基づいて、前記プラントの前記制御装置の故障箇所に対応する機器の運転を維持できるか否かを診断する運転維持可否判定ステップと、を実行させることを特徴とする。
【００１８】
この構成によれば、演算処理部に、制御装置の故障箇所に関する現在の値と記憶部に記憶された運転条件とに基づいて、自動で、プラントの運転の維持が可能か否か、プラントがＬＣＯを逸脱するか否か、及び復旧可能か否かを診断させることができる。このため、プラントの運転の維持が可能か否か、プラントがＬＣＯを逸脱するか否か、及び復旧可能か否かを判断するためのオペレータの身体的な負担を低減することができ、複雑な対応手順を簡易化することができる。
【発明の効果】
【００１９】
本発明によれば、プラントがＬＣＯを逸脱するか否かを判断するための身体的な負担を低減したり、複雑な対応手順を簡易化したりする保安規定対応支援システム、保安規定対応支援方法及び保安規定対応支援プログラムを提供することができる。
【図面の簡単な説明】
【００２０】
【図１】図１は、本発明の実施形態に係る保安規定対応支援システムが用いられるプラント保安システムの概略構成図である。
【図２】図２は、図１の制御ユニットの概略構成図である。
【図３】図３は、本発明の実施形態に係る保安規定対応支援システムの概略構成図である。
【図４】図４は、本発明の実施形態に係る保安規定対応支援システムの第１例の表示形態に係る画面の一例を示す図である。
【図５】図５は、本発明の実施形態に係る保安規定対応支援システムの第１例の表示形態に係る画面の一例を示す図である。
【図６】図６は、本発明の実施形態に係る保安規定対応支援システムの第１例の表示形態に係る画面の一例を示す図である。
【図７】図７は、本発明の実施形態に係る保安規定対応支援システムの第１例の表示形態に係る画面の一例を示す図である。
【図８】図８は、本発明の実施形態に係る保安規定対応支援システムの第１例の表示形態に係る画面の一例を示す図である。
【図９】図９は、本発明の実施形態に係る保安規定対応支援システムの第１例の表示形態に係る画面の一例を示す図である。
【図１０】図１０は、本発明の実施形態に係る保安規定対応支援システムの第１例の表示形態に係る画面の一例を示す図である。
【図１１】図１１は、本発明の実施形態に係る保安規定対応支援システムの第１例の表示形態に係る画面の一例を示す図である。
【図１２】図１２は、本発明の実施形態に係る保安規定対応支援方法を示すフローチャートである。
【図１３】図１３は、本発明の実施形態に係る保安規定対応支援システムの第２例の表示形態に係る画面の一例を示す図である。
【図１４】図１４は、本発明の実施形態に係る保安規定対応支援システムの第２例の表示形態に係る画面の一例を示す図である。
【図１５】図１５は、本発明の実施形態に係る保安規定対応支援システムが第２例の表示形態を有する場合の故障箇所ごとの確認情報をまとめた一覧表の一例を示す図である。
【図１６】図１６は、本発明の実施形態に係る保安規定対応支援システムの第２例の表示形態に係る画面の一例を示す図である。
【図１７】図１７は、本発明の実施形態に係る保安規定対応支援システムの第２例の表示形態に係る画面の一例を示す図である。
【図１８】図１８は、本発明の実施形態に係る保安規定対応支援システムの第２例の表示形態に係る画面の一例を示す図である。
【図１９】図１９は、本発明の実施形態に係る保安規定対応支援システムの第２例の表示形態に係る画面の一例を示す図である。
【図２０】図２０は、本発明の実施形態に係る保安規定対応支援システムの第２例の表示形態に係る画面の一例を示す図である。
【図２１】図２１は、本発明の実施形態に係る保安規定対応支援システムの第２例の表示形態に係る画面の一例を示す図である。
【発明を実施するための形態】
【００２１】
以下に、本発明の実施形態に係る保安規定対応支援システムを、図面に基づいて詳細に説明する。なお、以下の実施の形態の説明は、本発明を限定するものではなく、適宜変更して実施可能である。
【００２２】
［第１の実施形態］
図１は、本発明の実施形態に係る保安規定対応支援システム１０が用いられるプラント保安システム２０の概略構成図である。図２は、図１の制御ユニット３８の概略構成図である。図３は、本発明の実施形態に係る保安規定対応支援システム１０の概略構成図である。プラント保安システム２０は、図１に示すように、プラント２２と、制御装置２４と、保守ツール２６と、を含む。制御装置２４及び保守ツール２６は、中央制御室に設置されている。
【００２３】
プラント２２は、原子力プラントであり、図１に示すように、原子炉３２と、蒸気発生器３４と、加圧器３６と、を含む。なお、蒸気発生器３４は、図１では、ＳＧ（Steam  Generator）と示している。プラント２２は、原子炉３２の内部の温度を計測する温度計３２ａと、蒸気発生器３４の内部の水位を計測する水位計測器３４ａと、加圧器３６の内部の圧力を計測する圧力計３６ａと、を含む。プラント２２は、その他にも様々な機器及び計測器を含む。原子炉３２、温度計３２ａ、蒸気発生器３４、水位計測器３４ａ、加圧器３６、圧力計３６ａ及びその他の様々な機器及び計測器は、一般的な原子力プラントに用いられるものが好適に用いられる。なお、第１の実施形態では、プラント２２が原子力プラントであるとしているが、本発明はこれに限定されることなく、火力プラントであってもよい。
【００２４】
プラント２２は、制御装置２４を構成する後述する４つの制御ユニット３８と、それぞれ並列に、情報通信可能に電気的に接続されている。すなわち、原子炉３２、蒸気発生器３４、加圧器３６及びその他の様々な機器は、それぞれ、制御装置２４を構成する４つの制御ユニット３８と、情報通信可能に電気的に接続されている。プラント２２に含まれる原子炉３２、蒸気発生器３４、加圧器３６及びその他の様々な機器は、制御装置２４を構成する４つの制御ユニット３８に、各機器に関する様々なパラメータ等の情報を送信する。プラント２２に含まれる原子炉３２、蒸気発生器３４、加圧器３６及びその他の様々な機器は、制御装置２４を構成する４つの制御ユニット３８によって制御する。
【００２５】
温度計３２ａ、水位計測器３４ａ、圧力計３６ａ及びその他の様々な計測器は、それぞれ、後述するアナログ入力カード３８ａ、アナログ出力カード３８ｂ、ディジタル入力カード３８ｃ及びディジタル出力カード３８ｄを介して、制御装置２４を構成する４つの制御ユニット３８と、情報通信可能に電気的に接続されている。プラント２２に含まれる温度計３２ａ、水位計測器３４ａ、圧力計３６ａ及びその他の様々な計測器は、アナログ入力カード３８ａ、アナログ出力カード３８ｂ、ディジタル入力カード３８ｃ及びディジタル出力カード３８ｄを介して、制御装置２４を構成する４つの制御ユニット３８に、各計測器による計測情報を送信する。
【００２６】
制御装置２４は、複数の制御ユニットを備え、具体的には、図１に示すように、４つの制御ユニット３８を備える。制御装置２４は、これに限定されることなく、いくつの制御ユニットを備えていても良い。制御装置２４は、出来るだけ多くの制御ユニットを備えていることが好ましい。４つの制御ユニット３８は、いずれも同じ仕様の装置ユニットである。４つの制御ユニット３８は、それぞれ並列に、プラント２２と情報通信可能に電気的に接続されている。４つの制御ユニット３８は、それぞれ、各機器の情報を受信し、受信した各機器の情報に基づいて、プラント２２の運転を制御する。制御装置２４は、４つの制御ユニット３８で、プラント２２の運転に関する同一の制御を、並列に処理する。
【００２７】
プラント保安システム２０では、プラント２２が原子力プラントであるため、原子力プラントにおける諸規則をまとめた保安規定に基づく運転条件の制限、すなわちＬＣＯ（Limiting  Condition  of  Operation）に従って、制御装置２４が４重化されている必要がある。すなわち、プラント保安システム２０では、制御装置２４が４つの制御ユニット３８で、プラント２２の運転に関する同一の制御を並列に処理する状態が、維持されている必要がある。つまり、プラント保安システム２０では、制御装置２４が３つ以下の制御ユニット３８でプラント２２の運転に関する同一の制御を並列に処理する状態は、ＬＣＯに逸脱した状態となってしまう。このため、プラント２２が原子力プラントである場合、制御装置２４が４つの制御ユニット３８を備える必要がある。また、プラント２２が原子力プラントである場合、制御装置２４が５つ以上の制御ユニット３８を備えることが好ましい。
【００２８】
ＬＣＯは、プラントの種類ごとに定められた諸規則をまとめた保安規定ごとに基づいて設けられている。プラント保安システム２０では、プラント２２が原子力プラントであるため、原子力プラントにおける諸規則をまとめた保安規定に基づいて設けられているが、プラントの種類に応じて異なるＬＣＯが設けられる。ＬＣＯは、いずれのプラントの種類であっても、条文形式で運転条件の制限が管理される。
【００２９】
４つの制御ユニット３８は、それぞれ並列に、保守ツール２６と情報通信可能に電気的に接続されている。４つの制御ユニット３８は、それぞれ、制御ユニット３８の装置の状態の情報を保守ツール２６に送信する。制御ユニット３８の装置の状態の情報は、制御ユニット３８の各部が、正常に作動している状態であるか、故障している状態であるか、という情報である。
【００３０】
４つの制御ユニット３８は、プラント２２に含まれる原子炉３２、蒸気発生器３４、加圧器３６及びその他の様々な機器に関する様々なパラメータ等の情報を、保守ツール２６に送信する。４つの制御ユニット３８は、プラント２２に含まれる温度計３２ａ、水位計測器３４ａ、圧力計３６ａ及びその他の様々な計測器による計測情報を、保守ツール２６に送信する。
【００３１】
制御ユニット３８は、図２に示すように、アナログ入力カード３８ａと、アナログ出力カード３８ｂと、ディジタル入力カード３８ｃと、ディジタル出力カード３８ｄと、バスマスタカード３８ｅと、リピータカード３８ｆと、ネットワークカード３８ｇと、ＣＰＵカード３８ｈと、を含む。
【００３２】
アナログ入力カード３８ａは、制御装置２４以外のプラント２２の機器と接続され、ＣＰＵカード３８ｈに、バスマスタカード３８ｅ及びリピータカード３８ｆを適宜介して、プラント２２の運転状態等のうちアナログ信号によって伝達する信号を入力する機器である。アナログ出力カード３８ｂは、制御装置２４以外のプラント２２の機器と接続され、ＣＰＵカード３８ｈから、バスマスタカード３８ｅ及びリピータカード３８ｆを適宜介して、プラント２２の運転信号等のうちアナログ信号によって伝達する信号を出力する機器である。
【００３３】
ディジタル入力カード３８ｃは、制御装置２４以外のプラント２２の機器と接続され、ＣＰＵカード３８ｈに、バスマスタカード３８ｅ及びリピータカード３８ｆを適宜介して、プラント２２の運転状態等のうちディジタル信号によって伝達する信号を入力する機器である。ディジタル出力カード３８ｄは、制御装置２４以外のプラント２２の機器と接続され、ＣＰＵカード３８ｈから、バスマスタカード３８ｅ及びリピータカード３８ｆを適宜介して、プラント２２の運転信号等のうちディジタル信号によって伝達する信号を出力する機器である。
【００３４】
アナログ入力カード３８ａ及びディジタル入力カード３８ｃは、例えば、プラント２２を構成する様々な計測器による計測情報の入力を受け付ける。アナログ入力カード３８ａ及びディジタル入力カード３８ｃは、具体的には、プラント２２に含まれる温度計３２ａ、水位計測器３４ａ、圧力計３６ａ及びその他の様々な計測器が電気的に接続されており、これらの計測器による計測情報の入力を受け付ける。アナログ入力カード３８ａ及びディジタル入力カード３８ｃは、バスマスタカード３８ｅ及びリピータカード３８ｆを適宜介して、ＣＰＵカード３８ｈと情報通信可能に電気的に接続されており、入力を受け付けた計測情報をＣＰＵカード３８ｈに送信する。
【００３５】
アナログ入力カード３８ａ、アナログ出力カード３８ｂ、ディジタル入力カード３８ｃ及びディジタル出力カード３８ｄは、図２では、いずれも、１つの制御ユニット３８に対してそれぞれ１つずつを記載しており、複数の計測器が接続されているように省略して記載したが、１つの制御ユニット３８は、複数のアナログ入力カード３８ａ、アナログ出力カード３８ｂ、ディジタル入力カード３８ｃ及びディジタル出力カード３８ｄを備えている。ここで、１つの制御ユニット３８は、アナログ入力カード３８ａ、アナログ出力カード３８ｂ、ディジタル入力カード３８ｃ及びディジタル出力カード３８ｄを、それぞれ取り扱う信号の種類数と同じ数だけ設けられていることが好ましい。この場合、１つのアナログ入力カード３８ａ、アナログ出力カード３８ｂ、ディジタル入力カード３８ｃ及びディジタル出力カード３８ｄがそれぞれ１種類の信号を取り扱う。この場合、１つのアナログ入力カード３８ａ、アナログ出力カード３８ｂ、ディジタル入力カード３８ｃ及びディジタル出力カード３８ｄのそれぞれと、１種類の信号とが、一対一で対応するので、制御ユニット３８は、アナログ入力カード３８ａ、アナログ出力カード３８ｂ、ディジタル入力カード３８ｃ及びディジタル出力カード３８ｄを認識することにより、取り扱う情報の種類を認識することができる。
【００３６】
バスマスタカード３８ｅは、各制御ユニット３８においてデバイスとメモリとの間の情報の転送をする機器である。リピータカード３８ｆは、各制御ユニット３８において伝送される信号を整形することで、遠距離までの伝送を可能にする機器である。ネットワークカード３８ｇは、各制御ユニット３８と光スイッチユニットに例示されるネットワーク機器とを接続する機器である。なお、図２では、バスマスタカード３８ｅ、リピータカード３８ｆ及びネットワークカード３８ｇをそれぞれ１つのブロックで示したが、制御ユニット３８全体の構成に基づいて、適宜複数設けることが好ましい。
【００３７】
ＣＰＵカード３８ｈは、制御装置２４の制御判断を行う回路である。ＣＰＵカード３８ｈは、コンピュータに含まれるＣＰＵ（Central  Processing  Unit）等が例示される。すなわち、ＣＰＵカード３８ｈは、プラント２２の運転を制御するためのロジック演算などの演算処理をする。ＣＰＵカード３８ｈは、プラント２２が通常に運転されている際には、所定のプラント２２の運転条件内で、通常の運転を制御するための演算処理をする。所定のプラント２２の運転条件は、ＬＣＯを含むものであり、ＣＰＵカード３８ｈに接続された記憶部に記憶されている。
【００３８】
ＣＰＵカード３８ｈは、プラント２２に異常または事故が発生した際には、制御装置２４に入力される異常または事故の情報に基づいて、異常または事故に対応したプラント２２の制御をするための演算処理をする。例えば、ＣＰＵカード３８ｈは、プラント２２に運転の維持及び復旧が可能な異常または事故が発生した場合には、制御装置２４に所定の方法でプラント２２の運転を維持及び復旧させる旨の入力がされることに応じて、プラント２２の運転を維持及び復旧させるための演算処理をする。また、ＣＰＵカード３８ｈは、プラント２２が加圧水型原子炉であり、プラント２２に原子炉トリップを要するような運転の維持及び復旧が不可能な異常または事故が発生した場合には、制御装置２４に原子炉トリップをする旨の入力がされることに応じて、プラント２２を原子炉トリップするための演算処理をする。
【００３９】
制御ユニット３８は、図２では、ＣＰＵカード３８ｈを１つのブロックで示したが、ＣＰＵカード３８ｈは、複数のロジック演算回路を組み合わせた構造とすることが好ましい。制御ユニット３８は、各ロジック演算回路で設定された演算を行うことで、プラント２２の各部を制御する指示を生成する。
【００４０】
保守ツール２６は、原子炉３２を含むプラント２２の安全保護に必要な情報を収集し表示する計装盤であり、原子炉安全保護計装盤と称されることもある。保守ツール２６は、制御装置２４を構成する４つの制御ユニット３８と、それぞれ並列に、情報通信可能に電気的に接続されている。保守ツール２６は、４つの制御ユニット３８から、それぞれの制御ユニット３８の装置の状態の情報を受信する。保守ツール２６は、表示部を有し、それぞれの制御ユニット３８の装置の状態の情報を表示部に表示させる。
【００４１】
保守ツール２６は、例えば、アナログ入力カード３８ａが故障している場合、故障に関するエラーメッセージまたはエラーコード（Error  Code、ＥＣ）に加えて、故障しているアナログ入力カード３８ａが挿入されている制御ユニット３８の装置番号と、故障しているアナログ入力カード３８ａが挿入されているカードフレーム（Card  Frame、ＣＦ）の番号と、故障しているアナログ入力カード３８ａが挿入されているスロット（Slot、ＳＬ）の番号と、を表示部に表示させる。また、保守ツール２６は、アナログ出力カード３８ｂ、ディジタル入力カード３８ｃ、ディジタル出力カード３８ｄ、バスマスタカード３８ｅ、リピータカード３８ｆ及びネットワークカード３８ｇのいずれか１つが故障している場合、アナログ入力カード３８ａが故障している場合と同様に、それらが挿入されているカードフレームの番号及びスロットの番号等を、故障している対象に応じて、適宜表示部に表示させる。また、保守ツール２６は、ＣＰＵカード３８ｈが故障している場合、故障に関するエラーメッセージまたはエラーコードに加えて、故障しているＣＰＵカード３８ｈを含む制御ユニット３８の装置番号と、ＣＰＵカード３８ｈのどの部品が故障しているかを示す情報の表示と、稼働系または待機系を示す表示と、を表示部に表示させる。
【００４２】
エラーメッセージまたはエラーコード、カードフレームの番号、スロットの番号及び制御ユニット３８の装置番号は、いずれも、記号及び数字等を組み合わせた文字列で表示される。エラーメッセージまたはエラーコードの文字列は、エラーメッセージまたはエラーコード特有の規則性を有している。カードフレームの番号は、カードフレーム特有の規則性を有している。スロットの番号は、スロット特有の規則性を有している。制御ユニット３８の装置番号は、装置番号特有の規則性を有している。
【００４３】
保守ツール２６は、制御装置２４を構成する４つの制御ユニット３８を介して、プラント２２に含まれる原子炉３２、蒸気発生器３４、加圧器３６及びその他の様々な機器に関する様々なパラメータ等の情報を受信する。保守ツール２６は、制御装置２４を構成する４つの制御ユニット３８を介して、プラント２２に含まれる原子炉３２、蒸気発生器３４、加圧器３６及びその他の様々な機器の状態の情報を受信する。保守ツール２６は、プラント２２に含まれる様々な機器の状態を、表示部に表示させる。具体的には、保守ツール２６は、プラント２２に含まれる機器が故障している可能性が高い場合、その故障している可能性が高い機器を、故障に関するエラーメッセージまたはエラーコードに加えて、表示部に表示させる。
【００４４】
保守ツール２６は、制御装置２４を構成する４つの制御ユニット３８を介して、プラント２２に含まれる温度計３２ａ、水位計測器３４ａ、圧力計３６ａ及びその他の様々な計測器による計測情報を受信する。保守ツール２６は、制御装置２４を構成する４つの制御ユニット３８を介して、プラント２２に含まれる温度計３２ａ、水位計測器３４ａ、圧力計３６ａ及びその他の様々な計測器の状態の情報を受信する。保守ツール２６は、プラント２２に含まれる様々な計測器の状態を、表示部に表示させる。具体的には、保守ツール２６は、プラント２２に含まれる計測器が故障している可能性が高い場合、その故障している可能性が高い機器を、表示部に表示させる。
【００４５】
保守ツール２６は、入出力警報、軽故障警報及び重故障警報の３種類に分けて、表示部に表示させる。ここで、入出力警報は、制御ユニット３８への情報の入出力に関する故障に対する警報のことであり、アナログ入力カード３８ａ等の制御ユニット３８に含まれる各種カードの故障に対する警報が含まれる。また、軽故障警報は、制御ユニット３８におけるＣＰＵ片系の故障に対する警報、すなわち、片方のＣＰＵカード３８ｈの故障に対する警報が含まれる。また、重故障警報は、制御ユニット３８におけるＣＰＵ両系の故障に対する警報、すなわち、両方のＣＰＵカード３８ｈの故障に対する警報が含まれる。
【００４６】
保安規定対応支援システム１０は、プラント保安システム２０で用いられるシステムである。保安規定対応支援システム１０は、プラント保安システム２０を含む他の機器と物理的に接続されておらず、携帯可能なタブレット状の端末である。保安規定対応支援システム１０は、図３に示すように、記憶部１２と、入力部１４と、演算処理部１６と、出力部１８と、を有する。
【００４７】
記憶部１２は、例えばＲＡＭ、ＲＯＭ及びフラッシュメモリー等の記憶装置を有する。記憶部１２は、プラント２２の運転条件の情報と、制御装置２４の配置構成の情報とを記憶している。また、記憶部１２は、演算処理部１６が作成して出力部１８に表示させる画像の要素の情報を記憶している。
【００４８】
プラント２２の運転条件の情報は、各機器に関する様々なパラメータ等及び各計測器による計測情報の上限値及び下限値等の情報を含み、上記した保安規定の運転上の制限、すなわちＬＣＯを含む。プラント２２の運転条件の情報は、制御装置２４がアナログ入力カード３８ａ及びディジタル入力カード３８ｃを介して入力を受け付ける情報と、制御装置２４がＣＰＵカード３８ｈで演算処理してアナログ出力カード３８ｂ及びディジタル出力カード３８ｄを介して伝達することで制御する対象となっている制御対象の情報と、これらの情報の関係を結びつける演算処理に関する情報等と、を含む。
【００４９】
制御装置２４の配置構成の情報は、制御装置２４を構成する４つの制御ユニット３８の配置構成の情報と、制御ユニット３８に含まれるアナログ入力カード３８ａ及びＣＰＵカード３８ｈ等の制御ユニット３８に含まれる各種カードとそれらを情報通信可能に電気的に接続する配置構成の情報と、を含む。また、制御装置２４の配置構成の情報は、制御装置２４に含まれる制御ユニット３８の装置番号の情報、故障している上記の各種カードが挿入されているカードフレーム（Card  Frame）の番号、及び、それぞれの上記の各種カードが挿入されているスロットの番号の情報と、計測情報と、の関係を結びつける関連情報を含む。
【００５０】
記憶部１２は、具体的には、プラント２２の運転条件の情報と、制御装置２４の配置構成の情報とを合わせて、故障した上記の各種カードに関する様々な番号、計測情報の上限値、計測情報の下限値、ＬＣＯ逸脱か否かの判定、復旧可能か否かの判定、故障部位をバイパスすることで運転の維持が可能か否かの判定、復旧可能な場合の復旧方法、故障箇所の影響範囲、等の各情報をそれぞれ関連付けてリスト化して、記憶している。
【００５１】
記憶部１２は、また、エラーメッセージまたはエラーコード、カードフレームの番号、スロットの番号及び制御ユニット３８の装置番号のそれぞれの特有の規則性の情報を記憶している。
【００５２】
記憶部１２は、後述する演算処理部１６と情報通信可能に電気的に接続されている。記憶部１２は、演算処理部１６により処理されるソフトウェア・プログラム及びこのソフトウェア・プログラムにより参照されるデータ等を記憶する。具体的には、記憶部１２は、演算処理部１６に後述する保安規定対応支援システム１０の作動方法を実行させるための保安規定対応支援プログラムを記憶する。また、記憶部１２は、演算処理部１６が処理結果等を一時的に記憶する記憶領域としても機能する。
【００５３】
保安規定対応支援プログラムは、保安規定対応支援システム１０の作動方法においてＬＣＯに抵触しているか否かを診断するためのロジックと、プラント２２の制御装置２４の故障箇所に対応する機器の運転を維持できるか否かを診断するためのロジックと、を含む。
【００５４】
入力部１４は、オペレータの操作の入力を受け付ける。ここで、オペレータは、プラント２２の運転員及び保守官等の多数の関係者が例示される。入力部１４は、保安規定対応支援システム１０の外郭ケースに備え付けられたボタン、及び、後述する出力部１８と一体化して設けられたタッチパネルの入力機能等が例示される。入力部１４は、演算処理部１６と情報通信可能に電気的に接続されている。入力部１４は、入力を受け付けたオペレータの操作に応じた情報を、演算処理部１６に送信する。
【００５５】
演算処理部１６は、記憶部１２、入力部１４及び出力部１８と、それぞれ情報通信可能に電気的に接続されている。演算処理部１６は、コンピュータに含まれるＣＰＵ（Central  Processing  Unit）等が例示される。演算処理部１６は、記憶部１２からソフトウェア・プログラム等を読み出して処理することで、ソフトウェア・プログラムの内容に応じた機能を発揮する。具体的には、演算処理部１６は、記憶部１２に記憶された保安規定対応支援プログラムを読み出して処理することで、保安規定対応支援システム１０の作動方法を実行する。記憶部１２及び演算処理部１６は、一体のコンピュータが例示される。
【００５６】
演算処理部１６は、記憶部１２から、プラント２２の運転条件の情報と、制御装置２４の配置構成の情報と、を受信する。演算処理部１６は、入力部１４から、入力を受け付けたオペレータの操作に応じた情報を受信する。演算処理部１６は、記憶部１２から受信した様々な情報と、入力部１４から受信したオペレータの操作に応じた情報と、に基づいて演算処理を行う。ここで、記憶部１２から受信した様々な情報は、プラント２２の運転条件の情報、制御装置２４の配置構成の情報、画像の要素の情報及び装置番号の特有の規則性の情報を含む。演算処理部１６は、演算処理によって得られた情報を、出力部１８に送信する。
【００５７】
演算処理部１６は、記憶部１２から受信した様々な情報と、入力部１４で入力を受け付けた入力に基づいて、プラント２２の運転に関する診断結果を算出し、算出した診断結果を出力部１８に送信する。詳細には、演算処理部１６は、まず、入力部１４で入力を受け付けた制御装置２４の故障箇所の情報の入力と、記憶部１２から受信した制御装置２４の配置構成の情報に基づいて、プラント２２の運転に関する診断結果の算出に必要なプラント２２の運転パラメータを決定する処理を行い、出力部１８に、その決定した運転パラメータの現在の値の入力を求める出力の情報を送信する。また、演算処理部１６は、入力部１４で入力を受け付けた制御装置２４の故障箇所の情報の入力と、記憶部１２から受信した制御装置２４の配置構成の情報及び画像の要素の情報とに基づいて、故障箇所を示す制御装置２４のシーケンス図を作成する処理を行い、出力部１８に、そのシーケンス図の情報及びシーケンス図を表示する旨の情報を送信する。そして、演算処理部１６は、入力部１４で入力を受け付けた現在の値の情報と、記憶部１２から受信したプラント２２の運転条件の情報及び制御装置２４の配置構成の情報とに基づいて、プラント２２の制御装置２４の故障箇所に対応する機器の運転を維持できるか否かを診断する処理を行い、出力部１８に、その診断結果の出力の情報を送信する。
【００５８】
出力部１８は、演算処理部１６と情報通信可能に電気的に接続されている。出力部１８は、演算処理部１６から、演算処理部１６の演算処理によって得られた情報を受信する。出力部１８は、演算処理部１６から受信した情報に基づいて、出力を行う。出力部１８は、オペレータに演算処理部１６の診断結果を出力する。出力部１８は、演算処理部１６から受信した画像を表示することができる。出力部１８は、文字や画像等を表示する表示部、及び、入力部１４と一体化して設けられたタッチパネルの表示機能等が例示される。
【００５９】
保安規定対応支援システム１０は、プラント保安システム２０の各部と情報通信が不可能な形態、すなわちスタンドアローン処理をする形態である。このため、保安規定対応支援システム１０は、プラント保安システム２０に含まれる機器、特に無線の電波に対して感度が高い計測器等に悪影響を及ぼすことはない。また、保安規定対応支援システム１０及びプラント保安システム２０は、無線での情報通信をしないため、無線から情報を漏洩することがなく、情報セキュリティへの懸念がない。
【００６０】
なお、保安規定対応支援システム１０は、スタンドアローン処理をする形態に限定されず、パスワードなどで鍵がかけられており、かつ、プラント保安システム２０に含まれる機器に影響を及ぼさない波長域の無線で、プラント保安システム２０の各部と情報通信が可能な形態であってもよい。この場合、保安規定対応支援システム１０は、プラント保安システム２０に含まれる機器に影響を及ぼさない波長域の無線が用いられるため、これらの機器に悪影響を及ぼすことが低減される。また、保安規定対応支援システム１０及びプラント保安システム２０は、無線に鍵がかけられているため、無線から情報を漏洩する可能性が低減され、情報セキュリティへの懸念が低減される。また、保安規定対応支援システム１０は、演算処理部１６の処理に必要な様々な情報を、出力部１８を通して入力部１４への入力を求めることなく、無線でプラント保安システム２０から自動的に取得することができる。
【００６１】
図４から図１１は、本発明の実施形態に係る保安規定対応支援システム１０の第１例の表示形態に係る画面の一例を示す図である。保安規定対応支援システム１０は、入力部１４を操作して電源をオフからオンに切り替えることに応じて、演算処理部１６が、図４に示すような画面４０を出力部１８に出力させる。保安規定対応支援システム１０は、出力部１８にいずれの画面が表示されている場合でも、入力部１４を操作して電源をオンからオフに切り替えることに応じて、演算処理部１６が、出力部１８に出力させていた画面をオフに切り替える。
【００６２】
画面４０は、図４に示すように、ガイダンスモードボタン４２と、自動診断モードボタン４４と、を含む。ガイダンスモードボタン４２及び自動診断モードボタン４４は、いずれも、接触することで情報の入力を受け付ける入力部１４に含まれる。ガイダンスモードボタン４２は、接触することで、ガイダンスモードに関する画面の表示を要求する旨の情報の入力を受け付ける。自動診断モードボタン４４は、接触することで、自動診断モードに関する画面の表示を要求する旨の情報の入力を受け付ける。
【００６３】
ここで、保安規定対応支援システム１０におけるガイダンスモードは、主にスタンドアローン処理をする形態で使用するモードである。ガイダンスモードは、ガイダンスに従って、入力部１４が情報の入力を受け付け、演算処理部１６が、この情報の入力に応じて、故障箇所を示す制御装置２４のシーケンス図を作成したり、プラント２２の制御装置２４の故障箇所に対応する機器の運転を維持できるか否かを診断したりするモードである。
【００６４】
保安規定対応支援システム１０は、このガイダンスモードを有するので、オペレータがガイダンスに従って、１段階ごとに保安規定対応支援システム１０による故障診断の根拠、プラント２２の運転の維持が可能か否かの診断の根拠、ＬＣＯ逸脱か否かの診断の根拠、及び復旧可能か否かの根拠を確認することができる。このため、保安規定対応支援システム１０は、オペレータが確実な故障の判断、プラント２２の運転の維持が可能か否かの判断、ＬＣＯ逸脱か否かの判断、及び復旧可能か否かの判断をすることを支援し、オペレータが円滑にプラント２２の運転の維持及び復旧対応へ移行することを支援することができる。
【００６５】
また、保安規定対応支援システム１０における自動診断モードは、主に無線でプラント保安システム２０の各部と情報通信する形態で使用するモードである。自動診断モードは、演算処理部１６が、保守ツール２６からプラント２２及び制御装置２４に関する情報を自動で取得し、この自動で取得した情報に応じて、故障箇所を示す制御装置２４のシーケンス図を作成したり、プラント２２の制御装置２４の故障箇所に対応する機器の運転を維持できるか否かを診断したりするモードである。
【００６６】
演算処理部１６は、画面４０において自動診断モードボタン４４に接触すると、保守ツール２６からプラント２２及び制御装置２４に関する情報を自動で取得する。そして、演算処理部１６は、この自動で取得した情報に応じて、故障箇所を示す制御装置２４のシーケンス図を作成して出力部１８にこのシーケンス図を表示させる。また、演算処理部１６は、プラント２２の制御装置２４の故障箇所に対応する機器の運転を維持できるか否かを診断して出力部１８にこの診断結果を表示させる。
【００６７】
保安規定対応支援システム１０は、この自動診断モードを有するので、オペレータが入力部１４に入力をすることなく、自動で故障の診断、プラント２２の運転の維持が可能か否かの診断、ＬＣＯ逸脱か否かの診断及び復旧可能か否かの診断をすることができる。このため、保安規定対応支援システム１０は、オペレータが何らかの理由によりガイダンスに従って入力部１４に入力ができない場合に、オペレータが保安規定対応支援システム１０による故障診断の結果、プラント２２の運転の維持が可能か否かの診断結果、ＬＣＯ逸脱か否かの診断結果及び復旧可能か否かの診断結果をすぐに知ることができ、オペレータが円滑にプラント２２の運転の維持及び復旧対応へ移行することを支援することができる。
【００６８】
演算処理部１６は、画面４０においてガイダンスモードボタン４２に接触すると、図５に示すような画面５０を出力部１８に出力させる。画面５０は、図５に示すように、入出力警報選択ボタン５２と、軽故障警報選択ボタン５４と、重故障警報選択ボタン５６と、運転モード設定ボタン５８と、を含む。入出力警報選択ボタン５２、軽故障警報選択ボタン５４、重故障警報選択ボタン５６及び運転モード設定ボタン５８は、いずれも、接触することで情報の入力を受け付ける入力部１４に含まれる。
【００６９】
入出力警報選択ボタン５２は、接触することで、入出力警報が保守ツール２６の表示部に表示されている場合に、演算処理部１６に様々な診断処理を行わせるための画面の表示を要求する旨の情報の入力を受け付ける。軽故障警報選択ボタン５４は、接触することで、軽故障警報が保守ツール２６の表示部に表示されている場合に、演算処理部１６に様々な診断処理を行わせるための画面の表示を要求する旨の情報の入力を受け付ける。重故障警報選択ボタン５６は、接触することで、重故障警報が保守ツール２６の表示部に表示されている場合に、演算処理部１６に様々な診断処理を行わせるための画面の表示を要求する旨の情報の入力を受け付ける。運転モード設定ボタン５８は、接触することで、運転モードを設定するための画面の表示を要求する旨の情報の入力を受け付ける。
【００７０】
演算処理部１６は、画面５０において入出力警報選択ボタン５２に接触すると、図６に示すような画面６０を出力部１８に出力させる。画面６０は、図６に示すように、入出力警報が発生している時の対応ガイドを表示する画面である。画面６０は、接触することで、保守ツール２６の表示部に表示されている入出力警報を入力するための画面の表示を要求する旨の情報の入力を受け付ける。画面６０は、接触することで情報の入力を受け付ける入力部１４に含まれる。なお、この入力の受け付けは、画面６０の所定の部分に接触することに限定されず、画面６０を上下方向または左右方向にスライドすることによって行われてもよい。
【００７１】
演算処理部１６は、画面５０において軽故障警報選択ボタン５４に接触すると、軽故障警報が発生している時の対応ガイドを表示する画面を出力部１８に出力させる。この画面は、画面６０と同様に、接触することで、保守ツール２６の表示部に表示されている軽故障警報を入力するための画面の表示を要求する旨の情報の入力を受け付ける。
【００７２】
演算処理部１６は、画面５０において重故障警報選択ボタン５６に接触すると、重故障警報が発生している時の対応ガイドを表示する画面を出力部１８に出力させる。この画面は、画面６０と同様に、接触することで、保守ツール２６の表示部に表示されている重故障警報を入力するための画面の表示を要求する旨の情報の入力を受け付ける。
【００７３】
保安規定対応支援システム１０は、保守ツール２６の表示部に入出力警報、軽故障警報及び重故障警報のいずれが表示されている場合であっても、オペレータが、警報の表示に応じて、入出力警報選択ボタン５２、軽故障警報選択ボタン５４及び重故障警報選択ボタン５６のいずれかを接触することで、故障情報の入力の前に、表示された警報に応じた対応ガイドを確認することができる。このため、保安規定対応支援システム１０は、オペレータが保安規定対応支援システム１０を用いることになっても、保安規定対応支援システム１０による故障診断の概要、プラント２２の運転の維持が可能か否かの診断の概要、ＬＣＯ逸脱か否かの診断の概要及び復旧可能か否かの診断の概要を確認することができる。これにより、保安規定対応支援システム１０は、オペレータに対して、保安規定対応支援システム１０による故障診断、プラント２２の運転の維持が可能か否かの診断、ＬＣＯ逸脱か否かの診断及び復旧可能か否かの診断のブラックボックス化を防止することができる。
【００７４】
演算処理部１６は、画面６０に接触すると、図７に示すような画面６２を出力部１８に出力させる。画面６２は、図７に示すように、第１画面部６４と、第２画面部６６と、第３画面部６８と、を含む。第１画面部６４は、画面６２の上段に表示される。第２画面部６６は、画面６２の中段に表示される。第３画面部６８は、画面６２の下段に表示される。
【００７５】
第１画面部６４は、図７に示すように、エラーメッセージ入力部６４ａと、カードフレーム入力部６４ｂと、スロット入力部６４ｃと、故障診断ボタン６４ｄと、を含む。エラーメッセージ入力部６４ａ、カードフレーム入力部６４ｂ、スロット入力部６４ｃ及び故障診断ボタン６４ｄは、いずれも、接触することで情報の入力を受け付ける入力部１４に含まれる。
【００７６】
エラーメッセージ入力部６４ａは、保守ツール２６の表示部に表示されている入出力警報におけるエラーメッセージの入力を受け付ける。カードフレーム入力部６４ｂは、保守ツール２６の表示部に表示されている入出力警報におけるカードフレームの番号の入力を受け付ける。スロット入力部６４ｃは、保守ツール２６の表示部に表示されている入出力警報におけるスロットの番号の入力を受け付ける。故障診断ボタン６４ｄは、接触することで、エラーメッセージ入力部６４ａ、カードフレーム入力部６４ｂ及びスロット入力部６４ｃに入力された情報に基づいて、故障診断をする旨の入力を受け付ける。
【００７７】
演算処理部１６は、エラーメッセージ入力部６４ａ、カードフレーム入力部６４ｂ及びスロット入力部６４ｃのいずれか１つが入力されていない状態で、故障診断ボタン６４ｄが故障診断をする旨の入力を受け付けた場合、入力されていない部分に入力をするように促す表示を出力部１８に表示させる。
【００７８】
演算処理部１６は、エラーメッセージ入力部６４ａ、カードフレーム入力部６４ｂ及びスロット入力部６４ｃのいずれか１つが正しく入力されていない状態で、故障診断ボタン６４ｄが故障診断をする旨の入力を受け付けた場合、記憶部１２に記憶されているエラーメッセージ、カードフレームの番号、スロットの番号のそれぞれの特有の規則性の情報に基づいて、正しく入力されていないことを判定する処理をする。そして、演算処理部１６は、正しく入力されていない部分に正しい入力をするように促す表示を出力部１８に表示させる。
【００７９】
保安規定対応支援システム１０は、演算処理部１６が、エラーメッセージ入力部６４ａ、カードフレーム入力部６４ｂ及びスロット入力部６４ｃが正しく入力されていない場合に、正しく入力するようにオペレータに促すため、オペレータによる誤入力を防止することができる。
【００８０】
演算処理部１６は、エラーメッセージ入力部６４ａ、カードフレーム入力部６４ｂ及びスロット入力部６４ｃの全てが正しく入力された状態で、故障診断ボタン６４ｄが故障診断をする旨の入力を受け付けた場合、記憶部１２に記憶されているプラント２２の運転条件の情報、制御装置２４の配置構成の情報及び画像の要素の情報を照合して、故障箇所を特定する処理、故障箇所を示す制御装置２４のシーケンス図を作成する処理、及び故障箇所から影響を受ける機能を特定する処理をする。演算処理部１６は、これらの故障箇所、シーケンス図及び影響を受ける機能を出力部１８に表示させる。演算処理部１６は、これらの故障箇所、シーケンス図及び影響を受ける機能を、第２画面部６６に表示させる。
【００８１】
保安規定対応支援システム１０は、オペレータが保守ツール２６の表示部に表示されている警報に係る各項目を第１画面部６４の各入力部に入力して、故障診断をする旨の入力をすることのみで、演算処理部１６が、記憶部１２に記憶されている様々な情報を自動で照合して、故障箇所を特定する処理、故障箇所を示す制御装置２４のシーケンス図を作成する処理、及び故障箇所から影響を受ける機能を特定する処理をする。このため、保安規定対応支援システム１０は、オペレータが原子力プラントの制御装置の構成及びデータ処理に係る知見を有していなくても、原子力プラントに関する多くの資料を確認しなくても、オペレータが故障箇所を認識したり、故障箇所から影響を受ける機能を認識したりすることを支援する。
【００８２】
第２画面部６６は、図７に示すように、故障診断タブ７２と、故障箇所タブ７４と、影響機能タブ７６と、を含む。第２画面部６６は、故障診断タブ７２、故障箇所タブ７４及び影響機能タブ７６のうちいずれか１つのタブが前面に表示される。故障診断タブ７２、故障箇所タブ７４及び影響機能タブ７６は、いずれも、接触することで情報の入力を受け付ける入力部１４に含まれる。第２画面部６６は、初期設定では、図７に示すように、故障診断タブ７２が前面に表示される。
【００８３】
故障診断タブ７２は、第２画面部６６において故障診断タブ７２が前面に表示されていない場合、接触することで、図７に示すように、故障診断タブ７２を前面に表示させる旨の入力を受け付ける。故障箇所タブ７４は、第２画面部６６において故障箇所タブ７４が前面に表示されていない場合、接触することで、図８に示すように、故障箇所タブ７４を出力部１８の全面に表示させる旨の入力を受け付ける。影響機能タブ７６は、第２画面部６６において影響機能タブ７６が前面に表示されていない場合、接触することで、図９に示すように、影響機能タブ７６を前面に表示させる旨の入力を受け付ける。
【００８４】
演算処理部１６は、画面６２の第２画面部６６において故障診断タブ７２が前面に表示されていない場合に、故障診断タブ７２に接触すると、画面６２の第２画面部６６において図７に示すような故障診断タブ７２を前面に表示させるように、出力部１８に出力させる。
【００８５】
故障診断タブ７２は、故障診断ボタン６４ｄの接触に応じて故障診断処理が行われており、図７に示すように、第２画面部６６において前面に表示されている場合、故障診断ボタン６４ｄの接触に応じて演算処理部１６が特定した故障箇所の表示７２ａと、現在値入力部７２ｂと、ＬＣＯ逸脱診断ボタン７２ｃと、を含む。故障診断タブ７２は、故障診断ボタン６４ｄの接触に応じて故障診断処理が行われていない場合、故障箇所の表示７２ａ、現在値入力部７２ｂ及びＬＣＯ逸脱診断ボタン７２ｃが表示されていない状態となる。現在値入力部７２ｂ及びＬＣＯ逸脱診断ボタン７２ｃは、いずれも、接触することで情報の入力を受け付ける入力部１４に含まれる。
【００８６】
現在値入力部７２ｂは、表示されている場合、故障診断ボタン６４ｄの接触に応じて演算処理部１６が決定した故障箇所における所定の運転パラメータの現在の値の入力を受け付ける。現在値入力部７２ｂは、上限リミットの項目を選択することで、その所定の運転パラメータが上限値を超えている旨の入力を受け付ける。現在値入力部７２ｂは、as  isの項目を選択することで、その所定の運転パラメータが上限値と下限値との間である旨の入力を受け付ける。現在値入力部７２ｂは、下限リミットの項目を選択することで、その所定の運転パラメータが下限値を超えている旨の入力を受け付ける。現在値入力部７２ｂは、上限リミットの項目、as  isの項目及び下限リミットの項目のいずれか１つの項目しか選択できないように設定されている。
【００８７】
ＬＣＯ逸脱診断ボタン７２ｃは、表示されている場合、接触することで、現在値入力部７２ｂで選択された項目の情報に基づいて、ＬＣＯ逸脱診断をする旨の入力を受け付ける。演算処理部１６は、ＬＣＯ逸脱診断ボタン７２ｃが、現在値入力部７２ｂにおいていずれの項目も選択されていない状態で接触された場合、現在値入力部７２ｂのいずれか１つの項目の選択をするように促す表示を出力部１８に表示させる。演算処理部１６は、ＬＣＯ逸脱診断ボタン７２ｃが、現在値入力部７２ｂにおいていずれか１つの項目が選択された状態で接触された場合、現在値入力部７２ｂにおいて選択された項目と、記憶部１２に記憶されているプラント２２の運転条件の情報及び制御装置２４の配置構成の情報に基づいて、プラント２２の運転の維持が可能か否か、ＬＣＯ逸脱か否か及び復旧可能か否かを診断する。演算処理部１６は、この診断結果、プラント２２の運転の維持及び復旧が可能な場合に故障から復旧させるための故障復旧ガイドと、注意事項とを出力部１８に表示させる。演算処理部１６は、この診断結果、故障復旧ガイド及び注意事項を、第３画面部６８に表示させる。
【００８８】
保安規定対応支援システム１０は、オペレータが故障診断タブ７２に表示されている故障箇所の表示７２ａを認識し、現在値入力部７２ｂに指定された現在値を入力して、ＬＣＯ逸脱診断ボタン７２ｃに接触することのみで、演算処理部１６が、記憶部１２に記憶されている様々な情報を自動で照合して、プラント２２の運転の維持が可能か否か、ＬＣＯ逸脱か否か及び復旧可能か否かを診断し、故障復旧ガイド及び注意事項を表示する処理をする。このため、保安規定対応支援システム１０は、オペレータが原子力プラントの制御装置の構成及びデータ処理に係る知見を有していなくても、原子力プラントに関する多くの資料を確認しなくても、オペレータが、プラント２２の運転の維持が可能か否かの診断結果、ＬＣＯ逸脱か否かの診断結果及び復旧可能か否かの診断結果を認識したり、故障から復旧するための方針及び注意事項を認識したりすることを支援する。
【００８９】
演算処理部１６は、画面６２の第２画面部６６において故障箇所タブ７４が前面に表示されていない場合に、故障箇所タブ７４に接触すると、図８に示すような画面８０を出力部１８に出力させる。画面８０は、図８に示すように、故障箇所を示す制御装置２４のシーケンス図を含む画面である。このシーケンス図を含む画面８０は、故障診断ボタン６４ｄの接触に応じて故障診断処理が行われている場合、故障箇所を含む一定の領域が図示されている。この場合、このシーケンス図を含む画面８０は、色付けされて表示された故障箇所の表示８２及び表示８４と、別の色付けされて表示された影響を受ける機能の表示８６及び表示８８と、を含む。図８に示す画面８０は、リピータカード３８ｆの１つとＣＰＵカード３８ｈの１つとがそれぞれ故障していることを示している。この画面８０は、故障診断ボタン６４ｄの接触に応じて故障診断処理が行われていない場合、制御装置２４の配置構成の情報を単にマップ化した所定の画像が図示され、故障箇所の表示８２及び表示８４と、影響を受ける機能の表示８６及び表示８８と、が表示されていない状態となる。
【００９０】
故障箇所の表示８２は、接触することで、説明表示８２ａを表示させる旨の入力を受け付ける。説明表示８２ａは、表示８２に該当する故障箇所の故障による影響を説明する表示である。故障箇所の表示８４は、接触することで、説明表示８４ａを表示させる旨の入力を受け付ける。説明表示８４ａは、表示８４に該当する故障箇所の故障による影響を説明する表示である。表示８２及び表示８４は、いずれも、接触することで情報の入力を受け付ける入力部１４に含まれる。
【００９１】
保安規定対応支援システム１０は、演算処理部１６が、このような故障箇所を示す制御装置２４のシーケンス図を含む画面８０を出力部１８に表示させるので、オペレータが故障箇所を視覚的に理解することを支援する。保安規定対応支援システム１０は、演算処理部１６が、故障箇所の表示８２及び表示８４を色付けして出力部１８に表示させるので、オペレータが故障箇所を視覚的に理解することをさらに支援する。保安規定対応支援システム１０は、演算処理部１６が、故障箇所により影響を受ける機能の表示８６及び表示８８を別の色付けして出力部１８に表示させるので、オペレータが故障箇所により影響を受ける機能を視覚的に理解することをさらに支援する。保安規定対応支援システム１０は、演算処理部１６が、故障箇所の説明表示８２ａ及び説明表示８４ａを出力部１８に表示させることができるので、オペレータが故障箇所の詳細を理解することを支援する。
【００９２】
画面８０は、所定の部分、すなわち表示８２及び表示８４が表示されている部分を除く部分に接触することで、画面８０が表示される直前に表示されていた画面、例えば、図７に示すような画面６２を再び表示させる旨の入力を受け付ける。画面８０の所定の部分は、接触することで情報の入力を受け付ける入力部１４に含まれる。なお、この入力の受け付けは、画面８０の所定の部分に接触することに限定されず、画面８０を上下方向または左右方向にスライドすることによって行われてもよい。
【００９３】
演算処理部１６は、画面８０の所定の部分に接触すると、画面８０が表示される直前に表示されていた画面、例えば、図７に示すような画面６２などを出力部１８に出力させる。
【００９４】
演算処理部１６は、画面６２の第２画面部６６において影響機能タブ７６が前面に表示されていない場合に、影響機能タブ７６に接触すると、画面６２の第２画面部６６において図９に示すような影響機能タブ７６を前面に表示させるように、出力部１８に出力させる。影響機能タブ７６は、故障診断ボタン６４ｄの接触に応じて故障診断処理が行われており、図９に示すように、第２画面部６６において前面に表示されている場合、演算処理部１６が特定した故障箇所によって影響をうける機能の表示７６ａを含む。影響機能タブ７６は、故障診断ボタン６４ｄの接触に応じて故障診断処理が行われていない場合、故障箇所によって影響をうける機能の表示７６ａが表示されていない状態となる。
【００９５】
保安規定対応支援システム１０は、演算処理部１６が、故障箇所によって影響をうける機能の表示７６ａを含む影響機能タブ７６を出力部１８に表示させるので、オペレータが故障により具体的にどのような機能に影響が生じるのかを一覧で理解することを支援する。
【００９６】
第３画面部６８は、図７に示すように、ＬＣＯ逸脱診断タブ９２と、故障復旧ガイドタブ９４と、注意事項タブ９６と、を含む。第３画面部６８は、ＬＣＯ逸脱診断タブ９２、故障復旧ガイドタブ９４及び注意事項タブ９６のうちいずれか１つのタブが前面に表示される。ＬＣＯ逸脱診断タブ９２、故障復旧ガイドタブ９４及び注意事項タブ９６は、いずれも、接触することで情報の入力を受け付ける入力部１４に含まれる。第３画面部６８は、初期設定では、図７に示すように、ＬＣＯ逸脱診断タブ９２が前面に表示される。
【００９７】
ＬＣＯ逸脱診断タブ９２は、第３画面部６８においてＬＣＯ逸脱診断タブ９２が前面に表示されていない場合、接触することで、図７に示すように、ＬＣＯ逸脱診断タブ９２を前面に表示させる旨の入力を受け付ける。故障復旧ガイドタブ９４は、第３画面部６８において故障復旧ガイドタブ９４が前面に表示されていない場合、接触することで、図１０に示すように、故障復旧ガイドタブ９４を前面に表示させる旨の入力を受け付ける。注意事項タブ９６は、第３画面部６８において注意事項タブ９６が前面に表示されていない場合、接触することで、図１１に示すように、注意事項タブ９６を前面に表示させる旨の入力を受け付ける。
【００９８】
演算処理部１６は、画面６２の第３画面部６８においてＬＣＯ逸脱診断タブ９２が前面に表示されていない場合に、ＬＣＯ逸脱診断タブ９２に接触すると、画面６２の第３画面部６８において図７に示すようなＬＣＯ逸脱診断タブ９２を前面に表示させるように、出力部１８に出力させる。
【００９９】
ＬＣＯ逸脱診断タブ９２は、ＬＣＯ逸脱診断ボタン７２ｃの接触に応じてＬＣＯ逸脱診断処理が行われていており、図７に示すように、第３画面部６８において前面に表示されている場合、演算処理部１６が診断したＬＣＯ診断結果の表示９２ａを含む。表示９２ａは、ＬＣＯに逸脱しているか否かの情報、ＬＣＯに逸脱している場合におけるＬＣＯの条文番号の情報、及び、ＬＣＯに逸脱している場合におけるＬＣＯに逸脱する理由の情報を含む。ＬＣＯ逸脱診断タブ９２は、ＬＣＯ逸脱診断ボタン７２ｃの接触に応じてＬＣＯ逸脱診断処理が行われていない場合、ＬＣＯ診断結果の表示９２ａが表示されていない状態となる。
【０１００】
演算処理部１６は、画面６２の第３画面部６８において故障復旧ガイドタブ９４が前面に表示されていない場合に、故障復旧ガイドタブ９４に接触すると、画面６２の第３画面部６８において図１０に示すような故障復旧ガイドタブ９４を前面に表示させるように、出力部１８に出力させる。
【０１０１】
故障復旧ガイドタブ９４は、ＬＣＯ逸脱診断ボタン７２ｃの接触に応じてＬＣＯ逸脱診断処理が行われていており、図１０に示すように、第３画面部６８において前面に表示されている場合、演算処理部１６が診断した故障復旧ガイドの表示９４ａと、作業手順表示ボタン９４ｂと、を含む。故障復旧ガイドの表示９４ａは、プラント２２の運転の維持及び復旧が可能な場合の復旧の方法の簡単な記載の情報、及び、復旧に係る制限時間などの拘束条件の情報を含む。故障復旧ガイドタブ９４は、ＬＣＯ逸脱診断ボタン７２ｃの接触に応じてＬＣＯ逸脱診断処理が行われていない場合、故障復旧ガイドの表示９４ａ及び作業手順表示ボタン９４ｂが表示されていない状態となる。
【０１０２】
作業手順表示ボタン９４ｂは、表示されている場合、接触することで、プラント２２の運転の維持及び復旧のための詳細な作業手順を記載した作業手順書を表示させる旨の入力を受け付ける。作業手順表示ボタン９４ｂは、接触することで情報の入力を受け付ける入力部１４に含まれる。演算処理部１６は、作業手順表示ボタン９４ｂが接触された場合、プラント２２の運転の維持及び復旧のための詳細な作業手順を記載した作業手順書を出力部１８の全面に表示させる。演算処理部１６は、作業手順書に設けられた閉じるボタンに接触することで、作業手順書を閉じて、作業手順書が表示される直前に表示されていた画面、例えば、図１０に示すような画面６２などを出力部１８に出力させる。なお、この作業手順書を閉じる旨の入力の受け付けは、作業手順書に設けられた閉じるボタンに接触することに限定されず、例えば、作業手順書において上下方向または左右方向にスライドすることによって行われてもよい。
【０１０３】
保安規定対応支援システム１０は、演算処理部１６が、故障復旧ガイドの表示９４ａを出力部１８に表示させるので、オペレータがプラント２２の運転の維持及び復旧の方法の概要を理解することを支援する。また、保安規定対応支援システム１０は、演算処理部１６が、プラント２２の運転の維持及び復旧のための詳細な作業手順を記載した作業手順書を出力部１８に表示させるので、オペレータがプラント２２の運転の維持及び復旧の詳細な方法を理解することを支援する。
【０１０４】
演算処理部１６は、画面６２の第３画面部６８において注意事項タブ９６が前面に表示されていない場合に、注意事項タブ９６に接触すると、画面６２の第３画面部６８において図１１に示すような注意事項タブ９６を前面に表示させるように、出力部１８に出力させる。
【０１０５】
注意事項タブ９６は、ＬＣＯ逸脱診断ボタン７２ｃの接触に応じてＬＣＯ逸脱診断処理が行われており、図１１に示すように、第３画面部６８において前面に表示されている場合、注意事項に関する表示９６ａを含む。注意事項に関する表示９６ａは、演算処理部１６が診断したＬＣＯ診断結果と、プラント２２の運転の維持及び復旧とについて、留意及び注意すべき事項情報を含む。注意事項タブ９６は、ＬＣＯ逸脱診断ボタン７２ｃの接触に応じてＬＣＯ逸脱診断処理が行われていない場合、注意事項に関する表示９６ａが表示されていない状態となる。
【０１０６】
注意事項に関する表示９６ａは、オペレータが任意で編集可能となっており、これまでの対応から得られた教訓や注意事項などを記載することができる。このため、保安規定対応支援システム１０は、演算処理部１６が、ＬＣＯ診断結果と、プラント２２の運転の維持及び復旧とに関する注意事項に関する表示９６ａを出力部１８に表示させるので、オペレータに応じて、オペレータがこれまでの対応から得られた教訓や注意事項などを認識することを支援する。
【０１０７】
図１２は、本発明の実施形態に係る保安規定対応支援方法を示すフローチャートである。図１２を用いて、本発明の実施形態に係る保安規定対応支援システム１０が第１例の表示形態を採用する場合の動作方法である本発明の実施形態に係る保安規定対応支援方法を説明する。本発明の実施形態に係る保安規定対応支援方法は、図１２に示すように、故障箇所情報入力受付ステップ（ステップＳ１２）と、運転パラメータ決定ステップ（ステップＳ１４）と、現在値入力受付ステップ（ステップＳ１６）と、運転維持可否判定ステップ（ステップＳ１８）と、を含む。
【０１０８】
演算処理部１６は、故障箇所の情報の入力を受け付ける（ステップＳ１２）。演算処理部１６は、例えば、入出力警報が発生した場合、まず、図７に示すような、エラーメッセージ入力部６４ａ、カードフレーム入力部６４ｂ、スロット入力部６４ｃ及び故障診断ボタン６４ｄといった故障箇所の情報の入力を受け付ける入力部１４を含む第１画面部６４を出力部１８に表示させる。そして、演算処理部１６は、エラーメッセージ入力部６４ａ、カードフレーム入力部６４ｂ及びスロット入力部６４ｃに正しく入力された状態で故障診断ボタン６４ｄに接触した旨を認識することで、入出力警報に係る故障箇所の情報の入力を受け付ける。
【０１０９】
次に、演算処理部１６は、ステップＳ１２で入力を受け付けた故障箇所の情報と、記憶部１２から受信した制御装置２４の配置構成の情報とに基づいて、プラント２２の運転に関する診断結果の算出に必要なプラント２２の運転パラメータを決定する処理を行う（ステップＳ１４）。演算処理部１６は、決定した運転パラメータを出力部１８に送信し、表示させる。演算処理部１６は、例えば、図７に示すような、決定した運転パラメータの情報を含む表示７２ａを含む故障診断タブ７２を出力部１８に表示させる。
【０１１０】
次に、演算処理部１６は、ステップＳ１４で決定した運転パラメータの現在の値の情報の入力を受け付ける（ステップＳ１６）。演算処理部１６は、例えば、図７に示すような、現在値入力部７２ｂ及びＬＣＯ逸脱診断ボタン７２ｃといった、決定した運転パラメータの現在の値の入力を受け付ける入力部１４を含む故障診断タブ７２を、出力部１８に表示させる。そして、演算処理部１６は、表示７２ａに表示された運転パラメータについて、現在の値が現在値入力部７２ｂに入力された状態でＬＣＯ逸脱診断ボタン７２ｃに接触した旨を認識することで、ステップＳ１４で決定した運転パラメータの現在の値の情報の入力を受け付ける。
【０１１１】
そして、演算処理部１６は、入力部１４で入力を受け付けた現在の値の情報と、記憶部１２から受信したプラント２２の運転条件の情報及び制御装置２４の配置構成の情報とに基づいて、プラント２２の制御装置２４の故障箇所に対応する機器の運転を維持できるか否かを診断する処理を行うことで、運転維持の可否を判定する（ステップＳ１８）。演算処理部１６は、運転維持の可否の判定結果を出力部１８に送信し、表示させる。演算処理部１６は、例えば、図１０に示すような、運転維持が可能であると判定した場合に、復旧ガイドの表示９４ａ及び作業手順表示ボタン９４ｂを含む故障復旧ガイドタブ９４を出力部１８に表示させる。
【０１１２】
保安規定対応支援システム１０及び保安規定対応支援方法は、演算処理部１６が、制御装置２４の故障箇所に関する現在の値と記憶部１２に記憶された運転条件とに基づいて、自動で、プラント２２の運転の維持が可能か否か、プラント２２がＬＣＯを逸脱するか否か、及び復旧可能か否かを診断することができる。このため、保安規定対応支援システム１０及びその動作方法は、プラント２２の運転の維持が可能か否か、プラント２２がＬＣＯを逸脱するか否か、及び復旧可能か否かを判断するためのオペレータの身体的な負担を低減することができ、複雑な対応手順を簡易化することができる。また、保安規定対応支援システム１０及びその動作方法は、プラント２２の運転の維持及び復旧が可能か否かを細かく正確に判定できるので、維持及び復旧が可能な場合に確実に故障復帰させることを支援するので、プラント２２の運転に係るコストを大幅に削減することができる。
【０１１３】
保安規定対応支援システム１０及び保安規定対応支援方法は、プラント２２が原子力プラントであり、プラント２２の運転条件が保安規定の運転上の制限を含む。このため、保安規定対応支援システム１０及びその動作方法は、ＬＣＯが厳格で、プラント２２の構成が特に複雑な原子力プラントの場合でも、自動で、原子力プラントの運転の維持が可能か否か、原子力プラントがＬＣＯを逸脱するか否か、及び復旧可能か否かを診断することができる。これにより、保安規定対応支援システム１０及びその動作方法は、原子力プラントの運転の維持が可能か否か、原子力プラントがＬＣＯを逸脱するか否か、及び復旧可能か否かを判断するためのオペレータの身体的な負担をより低減することができ、複雑な対応手順をより簡易化することができる。また、保安規定対応支援システム１０及びその動作方法は、プラント２２の構成が特に複雑な原子力プラントの場合でも、プラント２２の運転の維持及び復旧が可能か否かを細かく正確に判定できるので、維持及び復旧が可能な場合に確実に故障復帰させることを支援するので、プラント２２の運転に係るコストをさらに大幅に削減することができる。
【０１１４】
保安規定対応支援システム１０及び保安規定対応支援方法は、制御装置２４の故障箇所が、制御装置２４の制御判断を行う回路であるＣＰＵカード３８ｈに、プラント２２の運転状態を入力する機器であるアナログ入力カード３８ａ及びディジタル入力カード３８ｃの故障と、制御装置２４の制御判断を行う回路であるＣＰＵカード３８ｈから、プラント２２の運転信号を出力する機器であるアナログ出力カード３８ｂ及びディジタル出力カード３８ｄの故障と、制御装置２４においてデバイスとメモリとの間の情報の転送をする機器であるバスマスタカード３８ｅの故障と、制御装置２４において信号を整形する機器であるリピータカード３８ｆの故障と、制御装置２４とネットワーク機器とを接続する機器であるネットワークカード３８ｇの故障と、制御装置２４の制御判断を行う回路であるＣＰＵカード３８ｈの故障と、を含む。このため、保安規定対応支援システム１０及びその動作方法は、制御装置２４の回路系統である上記の各種カードが故障した場合でも、故障箇所の情報の入力、運転パラメータの決定、現在値の入力を経て、自動で、プラント２２の運転の維持が可能か否か、プラント２２がＬＣＯを逸脱するか否か、及び復旧可能か否かを診断することができる。特に、保安規定対応支援システム１０及びその動作方法は、ＣＰＵカード３８ｈに例示される制御装置２４の制御判断を行う回路の故障に限定されず、制御判断自体は行わずに入出力及び信号の転送に関わる各種カードに故障が生じた際に、自動で、プラント２２の運転の維持が可能か否か、プラント２２がＬＣＯを逸脱するか否か、及び復旧可能か否かを診断することができる点で、優れている。
【０１１５】
保安規定対応支援システム１０及び保安規定対応支援方法は、制御装置２４が、複数の制御ユニット３８を備え、複数の制御ユニット３８で同一の制御を並列に処理する。このため、保安規定対応支援システム１０及びその動作方法は、プラント２２をより安定に制御することができ、制御装置２４が故障した場合にプラント２２の運転の維持及び復旧の可能性を高めることができる。
【０１１６】
保安規定対応支援システム１０及び保安規定対応支援方法は、出力部１８が、画像を表示する。このため、保安規定対応支援システム１０及びその動作方法は、制御装置２４の故障箇所などの情報を視覚でわかるように出力することができる。
【０１１７】
保安規定対応支援システム１０及び保安規定対応支援方法は、さらに、演算処理部１６が、故障箇所を示す制御装置２４のシーケンス図を表示させる。このため、保安規定対応支援システム１０及びその動作方法は、制御装置２４の配置構成における制御装置２４の故障箇所の情報を視覚でわかるように出力することができる。
【０１１８】
保安規定対応支援システム１０及び保安規定対応支援方法は、入力された情報を保存することで、故障時の情報を簡単に記憶させることができ、制御装置２４の故障箇所の情報を簡単に保存することができる。
【０１１９】
図１３、図１４及び図１６から図２１は、本発明の実施形態に係る保安規定対応支援システム１０の第２例の表示形態に係る画面の一例を示す図である。図１５は、本発明の実施形態に係る保安規定対応支援システム１０が第２例の表示形態を有する場合の故障箇所ごとの確認情報をまとめた一覧表１１０の一例を示す図である。保安規定対応支援システム１０は、入力部１４を操作して電源をオフからオンに切り替えることに応じて、演算処理部１６が、図１３に示すような画面１０１を出力部１８に出力させる。保安規定対応支援システム１０は、出力部１８にいずれの画面が表示されている場合でも、入力部１４を操作して電源をオンからオフに切り替えることに応じて、演算処理部１６が、出力部１８に出力させていた画面をオフに切り替える。
【０１２０】
画面１０１は、図１３に示すように、フレーム構造を有しており、第１画面部１０２と、第２画面部１０３と、を含む。第１画面部１０２は、保安規定対応の進行の度合いを表す画面部であり、別の画面部に切り換えられることはなく、保安規定対応の進行に応じて、出力部１８により、白黒反転する数字が、情報入力の段階を示す１番、故障箇所の特定の段階を示す２番、ＬＣＯチェックの段階を示す３番、ＬＣＯ逸脱宣言の段階を示す４番、復旧作業の段階を示す５番と順次移行していくものとなっている。図１３に示す画面１０１は、情報入力の段階における画面であるため、第１画面部１０２において白黒反転する数字が１番となっている。保安規定対応支援システム１０は、このような保安規定対応の進行の度合いを表す第１画面部１０２を有するので、オペレータが一瞥して保安規定対応の進行の度合いを把握することを可能にしている。なお、第１画面部１０２は、本実施形態では画面１０１の左側に設けられているが、本発明はこれに限定されず、画面１０１の上側、下側、または右側に設けられていてもよい。
【０１２１】
第２画面部１０３は、図１３に示すように、プラントモード入力部１０３ａと、警報種類入力部１０３ｂと、故障盤入力部１０３ｃと、故障分散入力部１０３ｄと、故障系入力部１０３ｅと、保守ツール情報入力ボタン１０３ｆと、を含む。プラントモード入力部１０３ａ、警報種類入力部１０３ｂ、故障盤入力部１０３ｃ、故障分散入力部１０３ｄ、故障系入力部１０３ｅ及び保守ツール情報入力ボタン１０３ｆは、いずれも、接触することで情報の入力を受け付ける入力部１４に含まれる。
【０１２２】
プラントモード入力部１０３ａは、１番から６番までのいずれか１つの選択を受け付けることで、保安規定対応を実施するプラントモードの入力を受け付ける。ここで、プラントモードは、どのプラント保安システム２０に関する保安規定対応を実施するかを示すものである。警報種類入力部１０３ｂは、重故障、軽故障及び入出力注意のいずれか１つの選択を受け付けることで、保安規定対応を実施する警報の種類の入力を受け付ける。ここで、警報の種類は、保守ツール２６が表示部に表示させるものと同様である。
【０１２３】
故障盤入力部１０３ｃは、Ｐ１、Ｐ２、Ｐ３及びＰ４のいずれか１つの選択を受け付けることで、保安規定対応を実施する故障盤の入力を受け付ける。ここで、故障盤のＰ１、Ｐ２、Ｐ３及びＰ４は、並列して４つ設けられている制御ユニット３８の装置番号である。故障分散入力部１０３ｄは、Ｃ１及びＣ２のいずれか１つの選択を受け付けることで、保安規定対応を実施する故障分散の入力を受け付ける。ここで、故障分散のＣ１及びＣ２は、制御ユニット３８に並列して設けられているＣＰＵカード３８ｈがそれぞれ配置されている領域の番号である。故障系入力部１０３ｅは、Ａ及びＢのいずれか１つの選択を受け付けることで、保安規定対応を実施する故障系の入力を受け付ける。ここで、故障系のＡ及びＢは、故障している部品及び故障の形態に応じて、適宜定められている。
【０１２４】
第２画面部１０３の各入力部が入力を受け付けるプラントモード、警報の種類、故障盤、故障分散及び故障系の情報は、いずれも保守ツール２６が表示部に表示させた情報に含まれている。このため、オペレータが特段の判断をすることなく、保守ツール２６が表示部に表示されたものをそのまま第２画面部１０３の各入力部に入力することができるので、第２例の表示形態を有する保安規定対応支援システム１０は、プラント２２の運転の維持が可能か否か、プラント２２がＬＣＯを逸脱するか否か、及び復旧可能か否かを判断するためのオペレータの身体的な負担を低減することができ、複雑な対応手順を簡易化することができる。
【０１２５】
保守ツール情報入力ボタン１０３ｆは、接触することで保守ツール情報の入力を受け付ける。演算処理部１６は、第２画面部１０３においてプラントモード入力部１０３ａ、警報種類入力部１０３ｂ、故障盤入力部１０３ｃ、故障分散入力部１０３ｄ及び故障系入力部１０３ｅの全てでいずれか１つが選択されている状態で保守ツール情報入力ボタン１０３ｆに接触すると、これら全ての保守ツール情報の入力を受け付けて、故障情報の入力を受け付ける画面を出力部１８に表示させる。一方、演算処理部１６は、第２画面部１０３において上記した全ての入力部で少なくともいずれかが未選択の状態で保守ツール情報入力ボタン１０３ｆに接触すると、出力部１８に当該未選択の状態にある項目について選択を促す旨を表示させる。
【０１２６】
演算処理部１６は、画面１０１の第２画面部１０３においてプラントモードが１番、警報の種類が入出力注意、故障盤がＰ１、故障分散がＣ２、及び、故障系がＡ系で入力されると、故障情報の入力を受け付ける画面として、図１４に示す画面１０６を出力部１８に表示させる。
【０１２７】
画面１０６は、図１４に示すように、画面１０１と同様にフレーム構造を有しており、画面１０１と同様の第１画面部１０２と、第２画面部１０７と、を含む。図１４に示す画面１０６は、図１３に示す画面１０１と同様に、情報入力の段階における画面であるため、第１画面部１０２において白黒反転する数字が１番のままとなっている。
【０１２８】
画面１０６は、第１画面部１０２及び第２画面部１０７の上部に、上記した画面１０１の第２画面部１０３において入力を受け付けた各情報を反映させた表示１０６ａをさらに含む。表示１０６ａは、画面１０６が後述するように別の画面に切り換えられても、図１６以降に示すように、残り続ける。保安規定対応支援システム１０は、このような画面１０１の直後に表示される画面１０６において、画面１０１の第２画面部１０３において入力を受け付けた各情報を反映させた表示１０６ａをさらに含むので、第２画面部１０３が切り替えられた後でも、オペレータが第２画面部１０３で入力した情報を確認することを可能にしている。なお、表示１０６ａは、本実施形態では画面１０６の上側に設けられているが、本発明はこれに限定されず、画面１０６の下側、左側、または右側に設けられていてもよい。
【０１２９】
第２画面部１０７は、図１４に示すように、エラーコード入力部１０７ａと、カードフレーム入力部１０７ｂと、スロット入力部１０７ｃと、故障箇所特定ボタン１０７ｄと、戻るボタン１０７ｅと、を含む。エラーコード入力部１０７ａ、カードフレーム入力部１０７ｂ、スロット入力部１０７ｃ、故障箇所特定ボタン１０７ｄ及び戻るボタン１０７ｅは、いずれも、接触することで情報の入力を受け付ける入力部１４に含まれる。
【０１３０】
エラーコード入力部１０７ａは、保守ツール２６の表示部に表示されている入出力警報におけるエラーコードの入力を受け付ける。カードフレーム入力部１０７ｂは、保守ツール２６の表示部に表示されている入出力警報におけるカードフレームの番号の入力を受け付ける。スロット入力部１０７ｃは、保守ツール２６の表示部に表示されている入出力警報におけるスロットの番号の入力を受け付ける。故障箇所特定ボタン１０７ｄは、接触することで、エラーコード入力部１０７ａ、カードフレーム入力部１０７ｂ及びスロット入力部１０７ｃに入力された情報に基づいて、故障箇所の特定をする旨の入力を受け付ける。
【０１３１】
戻るボタン１０７ｅは、接触することで、表示を前の画面１０１に戻す旨の入力を受け付ける。演算処理部１６は、戻るボタン１０７ｅを接触することで、前の画面１０１を出力部１８に表示させる。
【０１３２】
演算処理部１６は、エラーコード入力部１０７ａ、カードフレーム入力部１０７ｂ及びスロット入力部１０７ｃのいずれか１つが入力されていない状態で、故障箇所特定ボタン１０７ｄが故障箇所の特定をする旨の入力を受け付けた場合、入力されていない部分に入力をするように促す表示を出力部１８に表示させる。
【０１３３】
演算処理部１６は、エラーコード入力部１０７ａ、カードフレーム入力部１０７ｂ及びスロット入力部１０７ｃのいずれか１つが正しく入力されていない状態で、故障箇所特定ボタン１０７ｄが故障箇所の特定をする旨の入力を受け付けた場合、記憶部１２に記憶されているエラーコード、カードフレームの番号、スロットの番号のそれぞれの特有の規則性の情報に基づいて、正しく入力されていないことを判定する処理をする。そして、演算処理部１６は、正しく入力されていない部分に正しい入力をするように促す表示を出力部１８に表示させる。
【０１３４】
保安規定対応支援システム１０は、演算処理部１６が、エラーコード入力部１０７ａ、カードフレーム入力部１０７ｂ及びスロット入力部１０７ｃが正しく入力されていない場合に、正しく入力するようにオペレータに促すため、オペレータによる誤入力を防止することができる。
【０１３５】
演算処理部１６は、エラーコード入力部１０７ａ、カードフレーム入力部１０７ｂ及びスロット入力部１０７ｃの全てが正しく入力された状態で、故障箇所特定ボタン１０７ｄが故障箇所の特定をする旨の入力を受け付けた場合、記憶部１２に記憶されているプラント２２の運転条件の情報、制御装置２４の配置構成の情報及び画像の要素の情報を照合して、故障箇所を特定する処理、故障箇所を示す制御装置２４のシーケンス図を作成する処理、及び故障箇所から影響を受ける機能を特定する処理をする。演算処理部１６は、これらの故障箇所、シーケンス図及び影響を受ける機能を、出力部１８に表示させる。
【０１３６】
ここで、画面１０１の第２画面部１０３で入力する故障系、画面１０６の第２画面部１０７で入力するエラーコードの番号、カードフレームの番号及びスロットの番号について、図１５の一覧表１１０を用いて説明する。一覧表１１０は、図１５に示すように、故障時において、故障したカードの種類、中央制御室の保守ツール２６に表示される故障に対する警報の種類、制御モードの系に対する故障系、エラーコードの番号、エラーメッセージ、カードフレームの番号及びスロットの番号がそれぞれ対応付けられたものであり、これらの各種情報がこのようにそれぞれ対応付けられて記憶部１２に記憶されている。一覧表１１０において、ＥＣはエラーコードの番号を意味しており、ＣＦはカードフレームの番号を意味しており、ＳＬはスロットの番号を意味している。また、一覧表１１０において、対応するものが２種類以上ある場合には、いずれも示されている。なお、図１５に示す一覧表１１０は、原子炉保護計装盤Ｐ１Ｃ１、すなわち、制御装置２４のうち、制御ユニット３８の装置番号がＰ１であり、なおかつ、故障分散がＣ１である部分における故障について、故障時の確認情報の一部のみを示したものであり、記憶部１２には、一覧表１１０に示していない部分における故障についても、上記した各種情報がそれぞれ対応付けられたものが記憶されている。
【０１３７】
演算処理部１６は、画面１０１の第２画面部１０３においてプラントモードが１番、警報の種類が入出力注意、故障盤がＰ１、故障分散がＣ２、及び、故障系がＡ系で入力され、画面１０６の第２画面部１０７においてエラーコードの番号が１１５、カードフレームの番号が４７、及び、スロットの番号が０で入力されると、図１６に示す画面１２１を出力部１８に表示させる。
【０１３８】
画面１２１は、図１６に示すように、画面１０１及び画面１０６と同様にフレーム構造を有しており、画面１０１及び画面１０６と同様の第１画面部１０２と、第２画面部１２３と、を含む。図１６に示す画面１２１は、画面１０１及び画面１０６での入力の段階を経て、故障箇所の特定の段階における画面であるため、第１画面部１０２において白黒反転する数字が２番に移行している。
【０１３９】
画面１２１は、第１画面部１０２及び第２画面部１２３の上部に、上記した画面１０１の第２画面部１０３及び画面１０６の第２画面部１０７において入力を受け付けた各情報を反映させた表示１２１ａをさらに含む。表示１２１ａは、上記した画面１０６の表示１０６ａと同様に、画面１２１が後述するように別の画面に切り換えられても、図１７以降に示すように、残り続ける。保安規定対応支援システム１０は、このような画面１０１及び画面１０６の後に表示される画面１２１において、画面１０１の第２画面部１０３及び画面１０６の第２画面部１０７において入力を受け付けた各情報を反映させた表示１２１ａをさらに含むので、第２画面部１０３及び第２画面部１０７が切り替えられた後でも、オペレータが第２画面部１０３及び第２画面部１０７で入力した情報を確認することを可能にしている。なお、表示１２１ａは、上記した画面１０６の表示１０６ａと同様に、本実施形態では画面１２１の上側に設けられているが、本発明はこれに限定されず、画面１２１の下側、左側、または右側に設けられていてもよい。
【０１４０】
第２画面部１２３は、図１６に示すように、故障箇所の表示１２３ａと、故障詳細表示部１２３ｂと、ＬＣＯチェックボタン１２３ｃと、戻るボタン１２３ｄと、を含む。これらのうち、故障詳細表示部１２３ｂ、ＬＣＯチェックボタン１２３ｃ及び戻るボタン１２３ｄは、いずれも、接触することで情報の入力を受け付ける入力部１４に含まれる。
【０１４１】
故障箇所の表示１２３ａは、故障箇所を示す制御装置２４のシーケンス図を含む画面である。このシーケンス図を含む表示１２３ａは、故障箇所特定ボタン１０７ｄの接触に応じて行われた故障箇所の特定処理の結果に基づいて演算処理部１６が出力部１８に表示させたものであり、故障箇所を含む一定の領域が図示されている。このシーケンス図を含む表示１２３ａは、故障箇所であるアナログ入力カード３８ａに相当する箇所を色付けして示している。
【０１４２】
故障詳細表示部１２３ｂは、ポップアップ表示となっており、右上のバツ印の部分に接触することで閉じることができ、右上のバツ印以外の箇所を接触してドラッグすることで第２画面部１２３上を移動させることができる。故障詳細表示部１２３ｂは、故障箇所特定ボタン１０７ｄの接触に応じて行われた故障箇所の特定処理の結果に基づいて演算処理部１６が出力部１８に表示させたものであり、故障エリア（故障箇所を含む一定の領域）、故障箇所、故障箇所が取り扱う情報（パラメータ）及び故障箇所の故障によって影響を受ける機能（パラメータ）に関する各情報を含む。
【０１４３】
ＬＣＯチェックボタン１２３ｃは、接触することで、ここまでに画面１０１の第２画面部１０３及び画面１０６の第２画面部１０７において入力を受け付けた制御装置２４の故障箇所の情報に基づいて、以降において入力を受け付ける故障箇所における所定の運転パラメータを演算処理部１６によって決定する旨の入力を受け付ける。
【０１４４】
戻るボタン１２３ｄは、接触することで、表示を前の画面１０６に戻す旨の入力を受け付ける。演算処理部１６は、戻るボタン１２３ｄを接触することで、前の画面１０６を出力部１８に表示させる。
【０１４５】
演算処理部１６は、画面１０１の第２画面部１０３においてプラントモードが１番、警報の種類が入出力注意、故障盤がＰ１、故障分散がＣ２、及び、故障系がＡ系で入力され、画面１０６の第２画面部１０７においてエラーコードの番号が１１５、カードフレームの番号が４７、及び、スロットの番号が０で入力されている場合、画面１２１においてＬＣＯチェックボタン１２３ｃが接触されると、入力を受け付ける故障箇所における所定の運転パラメータを決定して、図１７に示す画面１２６を出力部１８に表示させる。
【０１４６】
画面１２６は、図１７に示すように、画面１０１、画面１０６及び画面１２１と同様にフレーム構造を有しており、画面１０１、画面１０６及び画面１２１と同様の第１画面部１０２と、第２画面部１２７と、を含む。図１７に示す画面１２６は、画面１０１、画面１０６及び画面１２１での入力の段階を経て、ＬＣＯチェックの段階における画面であるため、第１画面部１０２において白黒反転する数字が３番に移行している。画面１２６は、画面１２１と同様の表示１２１ａをさらに含む。
【０１４７】
第２画面部１２７は、図１７に示すように、現在値入力部１２７ａと、現在値入力部１２７ｂと、ＬＣＯチェック開始ボタン１２７ｃと、戻るボタン１２７ｄと、を含む。現在値入力部１２７ａ、現在値入力部１２７ｂ、ＬＣＯチェック開始ボタン１２７ｃ及び戻るボタン１２７ｄは、いずれも、接触することで情報の入力を受け付ける入力部１４に含まれる。
【０１４８】
現在値入力部１２７ａ及び現在値入力部１２７ｂは、画面１２１におけるＬＣＯチェックボタン１２３ｃの接触に応じて演算処理部１６が決定した故障箇所における所定の運転パラメータの現在の値の入力を受け付ける。なお、本実施形態では第２画面部１２７が現在値入力部１２７ａ及び現在値入力部１２７ｂという２種類の現在値入力部を含むが、本発明はこれに限定されず、１種類の現在値入力部のみを含む形態であってもよく、３種類以上の現在値入力部を含む形態であってもよい。
【０１４９】
現在値入力部１２７ａは、下限リミットの項目、as  isの項目及び上限リミットの項目のいずれか１つの項目を選択することで、所定の運転パラメータであるＰ４５５加圧器圧力ＣＨ１の現在値の入力を受け付けるものである。現在値入力部１２７ａは、下限リミットの項目を選択することで、この所定の運転パラメータが下限値を超えている、すなわち、Ｐ４５５加圧器圧力ＣＨ１の現在値が１１．８ＭＰａを下回っている旨の入力を受け付ける。現在値入力部１２７ａは、as  isの項目を選択することで、その所定の運転パラメータが上限値と下限値との間である旨の入力を受け付ける。現在値入力部１２７ａは、上限リミットの項目を選択することで、この所定の運転パラメータが上限値を超えている、すなわち、Ｐ４５５加圧器圧力ＣＨ１の現在値が１７．７ＭＰａを上回っている旨の入力を受け付ける。
【０１５０】
現在値入力部１２７ｂは、発生の項目及び復帰の項目のいずれか１つの項目を選択することで、所定の運転パラメータである加圧器圧力低パーシャルＳＩ（Ｎ３−Ｅ２）の現在値の入力を受け付けるものである。現在値入力部１２７ｂは、発生の項目を選択することで、加圧器圧力低パーシャルＳＩ（Ｎ３−Ｅ２）が発生している旨の入力を受け付ける。現在値入力部１２７ｂは、復帰の項目を選択することで、加圧器圧力低パーシャルＳＩ（Ｎ３−Ｅ２）から復帰している旨の入力を受け付ける。
【０１５１】
なお、本実施形態では、現在値入力部１２７ａがＰ４５５加圧器圧力ＣＨ１の現在値の入力を受け付け、現在値入力部１２７ｂが加圧器圧力低パーシャルＳＩ（Ｎ３−Ｅ２）の現在値の入力を受け付けるものであるが、本発明はこれに限定されず、入力を受け付ける現在値は、画面１０１の第２画面部１０３及び画面１０６の第２画面部１０７において入力を受け付けた制御装置２４の故障箇所の情報に基づいて様々なものとなる。
【０１５２】
ＬＣＯチェック開始ボタン１２７ｃは、接触することで、現在値入力部１２７ａ及び現在値入力部１２７ｂにおいて入力を受け付けた所定の運転パラメータの現在値の情報に基づいて、ＬＣＯ逸脱診断をする旨の入力を受け付ける。
【０１５３】
演算処理部１６は、第２画面部１２７において現在値入力部１２７ａ及び現在値入力部１２７ｂの全てでいずれか１つが選択されている状態でＬＣＯチェック開始ボタン１２７ｃに接触すると、これら全ての現在値の情報の入力を受け付けて、ＬＣＯ診断の結果に基づく画面を出力部１８に表示させる。一方、演算処理部１６は、第２画面部１２７において現在値入力部１２７ａ及び現在値入力部１２７ｂの全てで少なくともいずれかが未選択の状態でＬＣＯチェック開始ボタン１２７ｃに接触すると、出力部１８に当該未選択の状態にある項目について選択を促す旨を表示させる。
【０１５４】
戻るボタン１２７ｄは、接触することで、表示を前の画面１２１に戻す旨の入力を受け付ける。演算処理部１６は、戻るボタン１２７ｄを接触することで、前の画面１２１を出力部１８に表示させる。
【０１５５】
演算処理部１６は、画面１２６の第２画面部１２７において現在値入力部１２７ａで上限リミットを選択し、現在値入力部１２７ｂで復帰を選択した状態で、ＬＣＯチェック開始ボタン１２７ｃが接触されると、これにより入力を受け付けた現在の値と、記憶部１２に記憶された運転条件とに基づいて、プラント２２の制御装置２４の故障箇所に対応する機器の運転を維持できるかを診断し、この診断結果に基づき、図１８に示す画面１３１を出力部１８に表示させる。
【０１５６】
画面１３１は、図１８に示すように、画面１０１、画面１０６、画面１２１及び画面１２６と同様にフレーム構造を有しており、それらの画面と同様の第１画面部１０２と、第２画面部１３３と、を含む。図１８に示す画面１３１は、今までの画面での各入力の段階を経て、復旧作業の段階における画面であるため、第１画面部１０２において白黒反転する数字が５番に移行している。なお、画面１０１、画面１０６、画面１２１及び画面１２６を経て扱ってきた故障がＬＣＯを逸脱せず、故障箇所に対応する機器の運転を維持できる場合であるため、このような場合においては、ＬＣＯ逸脱宣言の段階を示す４番が飛ばされる。画面１３１は、画面１２１及び画面１２６と同様の表示１２１ａをさらに含む。
【０１５７】
第２画面部１３３は、図１８に示すように、復旧作業指示表示部１３３ａと、故障箇所詳細構成表示部１３３ｂと、復旧作業手順表示部１３３ｃと、復旧作業手順詳細表示ボタン１３３ｄと、終了ボタン１３３ｅと、を含む。これらのうち、復旧作業手順詳細表示ボタン１３３ｄ及び終了ボタン１３３ｅは、いずれも、接触することで情報の入力を受け付ける入力部１４に含まれる。
【０１５８】
復旧作業指示表示部１３３ａは、第２画面部１３３の上側の部分に設けられており、故障箇所に対応する機器の運転を維持できる場合における復旧作業の指示内容を表示している。故障箇所詳細構成表示部１３３ｂは、第２画面部１３３の上下方向真ん中の領域の左側の部分に設けられており、故障箇所を含む領域の詳細な構成を表示している。復旧作業手順表示部１３３ｃは、第２画面部１３３の上下方向真ん中の領域の右側の部分に設けられており、故障箇所に対応する機器の運転を維持できる場合における復旧作業の具体的な手順を箇条書きで表示している。
【０１５９】
復旧作業手順詳細表示ボタン１３３ｄは、接触することで、故障箇所に対応する機器の運転を維持できる場合における復旧作業の詳細な説明を表示させる旨の入力を受け付ける。演算処理部１６は、復旧作業手順詳細表示ボタン１３３ｄに接触すると、画面１３１の上に重ねて図１９に示す画面１３４を、出力部１８に表示させる。
【０１６０】
終了ボタン１３３ｅは、接触することで、本発明の実施形態に係る保安規定対応支援システム１０の使用を終了させる旨の入力を受け付ける。演算処理部１６は、終了ボタン１３３ｅに接触すると、今まで行ってきた処理をリセットして、画面１０１を表示させる。
【０１６１】
画面１３４は、図１９に示すように、画面１３１のうち表示１２１ａの領域を除く全面の上に重ねて表示されたポップアップ表示となっている。画面１３４は、右上のバツ印の部分に接触することで閉じて、表示を画面１３１に戻すことができる。画面１３４は、復旧作業手順詳細表示部１３４ａと、注意事項表示部１３４ｂと、ページ表示部１３４ｃと、ページ戻るボタン１３４ｄと、ページ進むボタン１３４ｅと、を含む。これらのうち、ページ戻るボタン１３４ｄ及びページ進むボタン１３４ｅは、いずれも、接触することで情報の入力を受け付ける入力部１４に含まれる。
【０１６２】
復旧作業手順詳細表示部１３４ａは、画面１３４の中央領域に設けられており、故障箇所に対応する機器の運転を維持できる場合における復旧作業の各手順の詳細な説明を表示している。注意事項表示部１３４ｂは、画面１３４の下側の部分に設けられており、同時に表示されている復旧作業手順詳細表示部１３４ａにおける注意事項、例えば、これまでの対応から得られた教訓等を表示している。ページ表示部１３４ｃは、画面１３４の上側の部分に設けられており、同時に表示されている復旧作業手順詳細表示部１３４ａの復旧作業手順詳細の全体におけるページ数を表示している。
【０１６３】
ページ戻るボタン１３４ｄは、復旧作業手順詳細のうち復旧作業手順詳細表示部１３４ａに表示させるページを１つ前に戻す旨の入力を受け付ける。演算処理部１６は、ページ戻るボタン１３４ｄに接触すると、復旧作業手順詳細のうち復旧作業手順詳細表示部１３４ａに表示させるページを１つ前に戻す処理を実行して、その処理の結果を出力部１８の表示に反映させる。なお、演算処理部１６は、復旧作業手順詳細表示部１３４ａに復旧作業手順詳細の最初のページを表示している場合、ページ戻るボタン１３４ｄに接触しても、出力部１８に表示させている表示を変更しない。
【０１６４】
ページ進むボタン１３４ｅは、復旧作業手順詳細のうち復旧作業手順詳細表示部１３４ａに表示させるページを１つ後ろに進める旨の入力を受け付ける。演算処理部１６は、ページ進むボタン１３４ｅに接触すると、復旧作業手順詳細のうち復旧作業手順詳細表示部１３４ａに表示させるページを１つ後ろに進める処理を実行して、その処理の結果を出力部１８の表示に反映させる。なお、演算処理部１６は、復旧作業手順詳細表示部１３４ａに復旧作業手順詳細の最終のページを表示している場合、ページ進むボタン１３４ｅに接触しても、出力部１８に表示させている表示を変更しない。
【０１６５】
なお、画面１３４は、ページ戻るボタン１３４ｄまたはページ進むボタン１３４ｅに接触することで、復旧作業手順詳細のうち復旧作業手順詳細表示部１３４ａに表示させるページを移動させることとしたが、本発明はこれに限定されず、スライド操作等の別の操作によって表示させるページを移動させることとしてもよい。
【０１６６】
保安規定対応支援システム１０は、演算処理部１６が、故障箇所に対応する機器の運転を維持できる場合において、復旧作業指示表示部１３３ａに復旧作業の指示内容を、故障箇所詳細構成表示部１３３ｂに故障箇所を含む領域の詳細な構成を、復旧作業手順表示部１３３ｃに復旧作業の具体的な手順を、それぞれ出力部１８に表示させるので、オペレータがプラント２２の運転の維持及び復旧の方法の概要を理解することを支援することができる。また、保安規定対応支援システム１０は、演算処理部１６が、復旧作業手順詳細表示部１３４ａに復旧作業の各手順の詳細な説明を、出力部１８に表示させるので、オペレータがプラント２２の運転の維持及び復旧の詳細な方法を理解することを支援することができる。また、保安規定対応支援システム１０は、演算処理部１６が、注意事項表示部１３４ｂに、復旧作業手順詳細表示部１３４ａに表示された復旧作業の各手順の詳細な説明に合わせて、この詳細な説明に関してこれまでの対応から得られた教訓等の注意事項を、出力部１８に表示させるので、オペレータがプラント２２の運転の維持及び復旧に際して注意すべき事項等を認識することを支援することができる。
【０１６７】
演算処理部１６が、ＬＣＯチェック開始ボタン１２７ｃが接触された際に、プラント２２の制御装置２４の故障箇所に対応する機器の運転が維持できず、ＬＣＯを逸脱していると診断される場合について、以下に説明する。例えば、画面１０１において、プラントモードが１番、警報の種類が入出力注意、故障盤がＰ１、故障分散がＣ２、故障系がＡ系で入力され、画面１０６において、エラーコードの番号が７０、カードフレームの番号が４７、及び、スロットの番号が０で入力された場合、演算処理部１６は、ＬＣＯチェック開始ボタン１２７ｃが接触された際に、プラント２２の制御装置２４の故障箇所に対応する機器の運転が維持できず、ＬＣＯを逸脱していると診断し、図２０に示す画面１４１を出力部１８に表示させる。
【０１６８】
画面１４１は、図２０に示すように、上で説明してきた各画面と同様にフレーム構造を有しており、それらの画面と同様の第１画面部１０２と、第２画面部１４３と、を含む。図２０に示す画面１４１は、今までの画面での各入力の段階を経て、ＬＣＯ逸脱宣言の段階における画面であるため、第１画面部１０２において白黒反転する数字が４番に移行している。画面１４１は、画面１２１、画面１２６及び画面１３１における表示１２１ａと同様の表示１４１ａをさらに含む。
【０１６９】
第２画面部１４３は、図２０に示すように、ＬＣＯ逸脱概要表示部１４３ａと、ＬＣＯ逸脱宣言催促表示部１４３ｂと、ＬＣＯ逸脱宣言時刻表示部１４３ｃと、ＬＣＯ逸脱宣言ボタン１４３ｄと、ＬＣＯ逸脱関連条文参照ボタン１４３ｅと、ＬＣＯ逸脱レポート出力ボタン１４３ｆと、復旧ガイドボタン１４３ｇと、戻るボタン１４３ｈと、を含む。これらのうち、ＬＣＯ逸脱宣言ボタン１４３ｄ、ＬＣＯ逸脱関連条文参照ボタン１４３ｅ、ＬＣＯ逸脱レポート出力ボタン１４３ｆ、復旧ガイドボタン１４３ｇ及び戻るボタン１４３ｈは、いずれも、接触することで情報の入力を受け付ける入力部１４に含まれる。
【０１７０】
ＬＣＯ逸脱概要表示部１４３ａは、第２画面部１４３の中央領域の上側に設けられており、ＬＣＯを逸脱している旨の概要、具体的には、ＬＣＯ逸脱に関わる機能を表示している。ＬＣＯ逸脱宣言催促表示部１４３ｂは、ＬＣＯ逸脱概要表示部１４３ａのすぐ下側に設けられており、ＬＣＯ逸脱の根拠条文番号と、ＬＣＯ逸脱宣言を催促する警報文が表示されている。ＬＣＯ逸脱宣言時刻表示部１４３ｃは、ＬＣＯ逸脱宣言催促表示部１４３ｂのすぐ下側に設けられており、ＬＣＯ逸脱宣言をした場合、ＬＣＯ逸脱宣言をした時刻を表示している。
【０１７１】
ＬＣＯ逸脱宣言ボタン１４３ｄは、ＬＣＯ逸脱宣言処理が実行されていない場合、接触することで、ＬＣＯ逸脱宣言処理を実行する旨の入力を受け付ける。ＬＣＯ逸脱宣言ボタン１４３ｄは、接触されてＬＣＯ逸脱宣言処理が実行されると、ＬＣＯ逸脱宣言済みという表示に切り換わり、ボタンとしての機能を失う。演算処理部１６は、ＬＣＯ逸脱宣言ボタン１４３ｄに接触すると、ＬＣＯ逸脱宣言処理を実行し、ＬＣＯ逸脱宣言時刻表示部１４３ｃにＬＣＯ逸脱宣言処理を実行した時刻を表示するとともに、ＬＣＯ逸脱宣言ボタン１４３ｄの表示をＬＣＯ逸脱宣言済みという表示に切り換える。
【０１７２】
ＬＣＯ逸脱関連条文参照ボタン１４３ｅは、接触することで、ＬＣＯの逸脱に関連する条文を参照する旨の入力を受け付ける。演算処理部１６は、ＬＣＯ逸脱関連条文参照ボタン１４３ｅに接触すると、ＬＣＯの逸脱に関連する条文を参照可能なように、例えば画面１４１の上に重ねて、出力部１８に表示させる。
【０１７３】
ＬＣＯ逸脱レポート出力ボタン１４３ｆは、接触することで、ＬＣＯ逸脱に関するレポートを表示させる旨の入力を受け付ける。演算処理部１６は、ＬＣＯ逸脱レポート出力ボタン１４３ｆに接触すると、画面１４１の上に重ねて図２１に示す画面１４６を、出力部１８に表示させる。
【０１７４】
復旧ガイドボタン１４３ｇは、接触することで、ＬＣＯから逸脱した場合における復旧作業の詳細な説明を表示させる旨の入力を受け付ける。演算処理部１６は復旧ガイドボタン１４３ｇに接触すると、図１８に示す画面１３１及び図１９に示す画面１３４と同様の復旧ガイドに関する画面を、出力部１８に表示させる。この復旧ガイドに関する画面は、図１８に示す画面１３１及び図１９に示す画面１３４と同様であるため、その詳細な説明を省略する。
【０１７５】
戻るボタン１４３ｈは、接触することで、表示を前の画面１２６に戻す旨の入力を受け付ける。演算処理部１６は、戻るボタン１４３ｈを接触することで、前の画面１２６を出力部１８に表示させる。
【０１７６】
画面１４６は、図２１に示すように、画面１４１のうち表示１４１ａの領域を除く全面の上に重ねて表示されたポップアップ表示となっている。画面１４６は、右上のバツ印の部分に接触することで閉じて、表示を画面１４１に戻すことができる。画面１４６は、ＬＣＯ逸脱レポート表示部１４６ａと、ＬＣＯ逸脱レポート出力ボタン１４６ｂと、を含む。これらのうち、ＬＣＯ逸脱レポート出力ボタン１４６ｂは、接触することで情報の入力を受け付ける入力部１４に含まれる。
【０１７７】
ＬＣＯ逸脱レポート表示部１４６ａは、画面１４６の中央領域に設けられており、ＬＣＯ逸脱の概要、故障情報等をまとめたＬＣＯ逸脱レポートを表示している。ＬＣＯ逸脱レポート出力ボタン１４６ｂは、接触することで、ＬＣＯ逸脱レポート表示部１４６ａに表示されているＬＣＯ逸脱レポートを印刷機器等に出力する旨の入力を受け付ける。演算処理部１６は、ＬＣＯ逸脱レポート出力ボタン１４６ｂを接触することで、ＬＣＯ逸脱レポート表示部１４６ａに表示されているＬＣＯ逸脱レポートを、外部接続された印刷機器等に出力する。
【０１７８】
保安規定対応支援システム１０は、演算処理部１６が、プラント２２がＬＣＯから逸脱している場合において、ＬＣＯ逸脱概要表示部１４３ａにＬＣＯを逸脱している旨の概要としてＬＣＯ逸脱に関わる機能を、出力部１８に表示させるので、オペレータが、プラント２２がＬＣＯから逸脱した理由や状況等を理解することを支援することができる。また、保安規定対応支援システム１０は、演算処理部１６が、ＬＣＯ逸脱宣言催促表示部１４３ｂにＬＣＯ逸脱の根拠条文番号及びＬＣＯ逸脱宣言を催促する警報文を、そしてＬＣＯ逸脱宣言催促表示部１４３ｂのすぐ下側の領域にＬＣＯ逸脱宣言ボタン１４３ｄを、それぞれ出力部１８に表示させるので、オペレータが、ＬＣＯ逸脱の根拠を理解した上で、速やかにＬＣＯ逸脱宣言をすることを支援することができる。また、保安規定対応支援システム１０は、演算処理部１６が、ＬＣＯ逸脱宣言時刻表示部１４３ｃにＬＣＯ逸脱宣言をした時刻を、出力部１８に表示させるので、オペレータが、ＬＣＯ逸脱宣言をした時刻を常に確認可能にすることを支援することができる。
【０１７９】
保安規定対応支援システム１０は、演算処理部１６が、プラント２２がＬＣＯから逸脱している場合において、ＬＣＯ逸脱レポート出力ボタン１４３ｆの接触を受けて、ＬＣＯ逸脱レポート表示部１４６ａにＬＣＯ逸脱の概要、故障情報等をまとめたＬＣＯ逸脱レポートを、出力部１８に表示させ、さらに、ＬＣＯ逸脱レポート出力ボタン１４６ｂの接触を受けて、このＬＣＯ逸脱レポートを外部接続された印刷機器等に出力するので、オペレータが、ＬＣＯ逸脱レポートを作成することを支援することができる。
【０１８０】
また、保安規定対応支援システム１０は、演算処理部１６が、プラント２２がＬＣＯから逸脱している場合でも、復旧ガイドボタン１４３ｇを接触することで、故障箇所に対応する機器の運転を維持できる場合と同様に、オペレータがプラント２２の運転の維持及び復旧の方法の概要、並びに、プラント２２の運転の維持及び復旧の詳細な方法を理解することを支援し、なおかつ、オペレータがプラント２２の運転の維持及び復旧に際して注意すべき事項等を認識することを支援することができる。
【０１８１】
図１２を用いて、第１例の表示形態を採用する場合と同様に、第２例の表示形態を採用する場合について、本発明の実施形態に係る保安規定対応支援方法を説明する。なお、第２例の表示形態を採用する場合の詳細な説明において、第１例の表示形態を採用する場合と同じ箇所については、その詳細な説明を省略する。
【０１８２】
演算処理部１６は、故障箇所の情報の入力を受け付ける（ステップＳ１２）。演算処理部１６は、例えば、図１３に示すような、プラントモード入力部１０３ａ、警報種類入力部１０３ｂ、故障盤入力部１０３ｃ、故障分散入力部１０３ｄ及び故障系入力部１０３ｅといった故障箇所の情報の入力を受け付ける入力部１４を含む画面１０１を出力部１８に表示させる。そして、演算処理部１６は、プラントモード入力部１０３ａ、警報種類入力部１０３ｂ、故障盤入力部１０３ｃ、故障分散入力部１０３ｄ及び故障系入力部１０３ｅに正しく入力された状態で、保守ツール情報入力ボタン１０３ｆに接触した旨を認識することで、故障箇所の情報の入力の一部を受け付ける。
【０１８３】
また、演算処理部１６は、例えば、図１４に示すような、エラーコード入力部１０７ａ、カードフレーム入力部１０７ｂ及びスロット入力部１０７ｃといった故障箇所の情報の入力を受け付ける入力部１４を含む画面１０６を出力部１８に表示させる。そして、演算処理部１６は、エラーコード入力部１０７ａ、カードフレーム入力部１０７ｂ及びスロット入力部１０７ｃに正しく入力された状態で、故障箇所特定ボタン１０７ｄに接触した旨を認識することで、故障箇所の情報の入力の残りの一部を受け付ける。
【０１８４】
次に、演算処理部１６は、ステップＳ１２で入力を受け付けた故障箇所の情報と、記憶部１２から受信した制御装置２４の配置構成の情報とに基づいて、プラント２２の運転に関する診断結果の算出に必要なプラント２２の運転パラメータを決定する処理を行う（ステップＳ１４）。演算処理部１６は、決定した運転パラメータを出力部１８に送信し、表示させる。演算処理部１６は、例えば、図１７に示すような、決定した運転パラメータの情報を含む現在値入力部１２７ａ及び現在値入力部１２７ｂを含む画面１２６を出力部１８に表示させる。
【０１８５】
次に、演算処理部１６は、ステップＳ１４で決定した運転パラメータの現在の値の情報の入力を受け付ける（ステップＳ１６）。演算処理部１６は、例えば、図１７に示すような、現在値入力部１２７ａ及び現在値入力部１２７ｂといった、決定した運転パラメータの現在の値の入力を受け付ける入力部１４を含む画面１２６を、出力部１８に表示させる。そして、演算処理部１６は、現在値入力部１２７ａ及び現在値入力部１２７ｂに表示された運転パラメータについて、現在の値が現在値入力部１２７ａ及び現在値入力部１２７ｂに入力された状態でＬＣＯチェック開始ボタン１２７ｃに接触した旨を認識することで、ステップＳ１４で決定した運転パラメータの現在の値の情報の入力を受け付ける。
【０１８６】
そして、演算処理部１６は、入力部１４で入力を受け付けた現在の値の情報と、記憶部１２から受信したプラント２２の運転条件の情報及び制御装置２４の配置構成の情報とに基づいて、プラント２２の制御装置２４の故障箇所に対応する機器の運転を維持できるか否かを診断する処理を行うことで、運転維持の可否を判定する（ステップＳ１８）。演算処理部１６は、運転維持の可否の判定結果を出力部１８に送信し、表示させる。
【０１８７】
ステップＳ１８では、演算処理部１６は、例えば、図１８に示すような、運転維持が可能であると判定した場合には、復旧作業指示表示部１３３ａ、故障箇所詳細構成表示部１３３ｂ及び復旧作業手順表示部１３３ｃを含む画面１３１、または、復旧作業手順詳細表示部１３４ａ及び注意事項表示部１３４ｂを含む画面１３４を出力部１８に表示させる。
【０１８８】
ステップＳ１８では、演算処理部１６は、例えば、図２０に示すような、ＬＣＯを逸脱していると判定した場合には、ＬＣＯ逸脱概要表示部１４３ａ及びＬＣＯ逸脱宣言催促表示部１４３ｂ等を含む画面１４１、または、ＬＣＯ逸脱レポート表示部１４６ａを含む画面１４６を出力部１８に表示させる。
【０１８９】
保安規定対応支援システム１０及び保安規定対応支援方法は、第２例の表示形態を採用する場合でも、上記したように、第１例の表示形態を採用する場合と同様の作用効果を奏するものとなる。
【符号の説明】
【０１９０】
１０  保安規定対応支援システム
１２  記憶部
１４  入力部
１６  演算処理部
１８  出力部
２０  プラント保安システム
２２  プラント
２４  制御装置
２６  保守ツール
３２  原子炉
３２ａ  温度計
３４  蒸気発生器
３４ａ  水位計測器
３６  加圧器
３６ａ  圧力計
３８  制御ユニット
３８ａ  アナログ入力カード
３８ｂ  アナログ出力カード
３８ｃ  ディジタル入力カード
３８ｄ  ディジタル出力カード
３８ｅ  バスマスタカード
３８ｆ  リピータカード
３８ｇ  ネットワークカード
３８ｈ  ＣＰＵカード
４０，５０，６０，６２，８０，１０１，１０６，１２１，１２６，１３１，１３４，１４１，１４６  画面
４２  ガイダンスモードボタン
４４  自動診断モードボタン
５２  入出力警報選択ボタン
５４  軽故障警報選択ボタン
５６  重故障警報選択ボタン
５８  運転モード設定ボタン
６４，１０２  第１画面部
６４ａ  エラーメッセージ入力部
６４ｂ  カードフレーム入力部
６４ｃ  スロット入力部
６４ｄ  故障診断ボタン
６６，１０３，１０７，１２３，１２７，１３３，１４３  第２画面部
６８  第３画面部
７２  故障診断タブ
７２ａ，７６ａ，８２，８４，８６，８８，９２ａ，９４ａ，９６ａ，１０６ａ，１２１ａ，１２３ａ，１４１ａ  表示
７２ｂ  現在値入力部
７２ｃ  ＬＣＯ逸脱診断ボタン
７４  故障箇所タブ
７６  影響機能タブ
８２ａ，８４ａ  説明表示
９２  ＬＣＯ逸脱診断タブ
９４  故障復旧ガイドタブ
９４ｂ  作業手順表示ボタン
９６  注意事項タブ
１０３ａ  プラントモード入力部
１０３ｂ  警報種類入力部
１０３ｃ  故障盤入力部
１０３ｄ  故障分散入力部
１０３ｅ  故障系入力部
１０３ｆ  保守ツール情報入力ボタン
１０７ａ  エラーコード入力部
１０７ｂ  カードフレーム入力部
１０７ｃ  スロット入力部
１０７ｄ  故障箇所特定ボタン
１０７ｅ，１２３ｄ，１２７ｄ，１４３ｈ  戻るボタン
１１０  一覧表
１２３ｂ  故障詳細表示部
１２３ｃ  ＬＣＯチェックボタン
１２７ａ  現在値入力部
１２７ｂ  現在値入力部
１２７ｃ  ＬＣＯチェック開始ボタン
１３３ａ  復旧作業指示表示部
１３３ｂ  故障箇所詳細構成表示部
１３３ｃ  復旧作業手順表示部
１３３ｄ  復旧作業手順詳細表示ボタン
１３３ｅ  終了ボタン
１３４ａ  復旧作業手順詳細表示部
１３４ｂ  注意事項表示部
１３４ｃ  ページ表示部
１３４ｄ  ページ戻るボタン
１３４ｅ  ページ進むボタン
１４３ａ  ＬＣＯ逸脱概要表示部
１４３ｂ  ＬＣＯ逸脱宣言催促表示部
１４３ｃ  ＬＣＯ逸脱宣言時刻表示部
１４３ｄ  ＬＣＯ逸脱宣言ボタン
１４３ｅ  ＬＣＯ逸脱関連条文参照ボタン
１４３ｆ  ＬＣＯ逸脱レポート出力ボタン
１４３ｇ  復旧ガイドボタン
１４６ａ  ＬＣＯ逸脱レポート表示部
１４６ｂ  ＬＣＯ逸脱レポート出力ボタン
【図１】
2019179506.tif 000003
【図２】
2019179506.tif 000004
【図３】
2019179506.tif 000005
【図４】
2019179506.tif 000006
【図５】
2019179506.tif 000007
【図６】
2019179506.tif 000008
【図７】
2019179506.tif 000009
【図８】
2019179506.tif 000010
【図９】
2019179506.tif 000011
【図１０】
2019179506.tif 000012
【図１１】
2019179506.tif 000013
【図１２】
2019179506.tif 000014
【図１３】
2019179506.tif 000015
【図１４】
2019179506.tif 000016
【図１５】
2019179506.tif 000017
【図１６】
2019179506.tif 000018
【図１７】
2019179506.tif 000019
【図１８】
2019179506.tif 000020
【図１９】
2019179506.tif 000021
【図２０】
2019179506.tif 000022
【図２１】
2019179506.tif 000023